(57)【特許請求の範囲】
【請求項１】
遊技球を進入させる球進入口を左上部に具備する遊技領域が前面部に形成された遊技盤と、
前記遊技領域を前方に向けた状態で前記遊技盤を保持する本体枠と、
遊技球を貯留可能な皿部材と、
遊技球を発射待機位置に保持する保持手段と、
前記皿部材に貯留されている遊技球を１球ずつ取り込んで前記発射待機位置に送る球送り手段と、
前記発射待機位置に送られてきた遊技球を前記球進入口に向けて発射する発射手段と、
を備えた遊技機であって、
前記球送り手段と前記発射待機位置との間に、前記球送り手段から前記発射待機位置に遊技球を流入させるための流入口を有し、
前記流入口の開口縁に、前記流入口に挿通される糸状部材を進入させて挟み込むスリット部を設けるとともに、
前記スリット部の内壁には、前記スリット部に進入した糸状部材の抜け止めを行うための突起を設けることを特徴とする遊技機。
【発明の詳細な説明】
【技術分野】
【０００１】
本発明は、遊技機に関し、いわゆるセブン機、羽根物、権利物又はアレンジボール等の弾球式の遊技機に対して適用することができる。
【背景技術】
【０００２】
弾球式の遊技機は、外枠と、本体枠（中枠）と、この本体枠に保持された遊技盤と、遊技盤の遊技盤面（前面部）を覆う透明板（ガラス板）を具備する前面枠と、前面枠の下方に配置される皿部材とを備える。また、この種の遊技機では、遊技盤の遊技盤面において外側レールと内側レールとが所定形状（略真円形、略楕円形、略長円形等の略円形等）に取り囲んで構成される遊技領域に、各種の入賞装置（大入賞装置、始動入賞装置、その他の一般入賞装置等）、通過ゲート、可変表示装置、障害釘等が配設されている。
【０００３】
更に、本体枠の前方であって遊技盤の下方の部位には、遊技球を発射待機位置に保持するための保持部材と、皿部材に貯留されている遊技球を１球ずつ発射待機位置に送る球送り装置と、発射装置とが配置されている。そして、発射装置によって発射待機位置から打ち出された遊技球が、誘導通路等を経て遊技盤面の左上部に導かれた後、遊技領域左上部に形成された球進入口を通じて遊技領域内に放出される。
【０００４】
この種の遊技機では、遊技球が始動入賞口に入賞することに起因して、大当りを発生させるか否かの抽選（つまり、大当りか否かの当否判定）が行われる。かかる場合、可変表示装置において、特別図柄を用いた変動表示を所定時間に亘って行った後、当該抽選の結果を示す停止図柄が一定時間（例えば、０．６秒）に亘って停止表示される。そして、この抽選の結果が当選（当否判定の結果が大当り）である旨の停止図柄（大当り図柄）が可変表示装置に停止表示されると、遊技機は大当り遊技（特別遊技）を開始し、開閉部材（大入賞装置を構成する開閉部材）の開放動作を行って、閉鎖状態にある大入賞口を開放状態に変化させ、大入賞口への遊技球の入賞が可能となる。この後、大入賞口に所定個数の遊技球が入賞するか、所定時間が経過することにより、一旦、開閉部材の閉鎖動作を行って大入賞口を閉鎖状態とし、開閉部材に施される「１回の単位駆動（１回の大当りラウンド）」を完了する。この「開閉部材の単位駆動」が、所定の回数（所謂、「ラウンド数」）だけ繰り返されると、この遊技機は大当り遊技を終了する。
【０００５】
ところで、この種の遊技機においては、不正行為の対象となることがある。例えば、不正行為者が、皿扉材にドリルや半田ゴテ等を用いて孔を開け、この孔を通じて、遊技機の内部（具体的には、皿扉部材の背後に位置する部位等）に、ピアノ線や針金のような部材を差し込む。そして、この部材の先端部を大入賞装置等の可変式入賞装置に到達させ、この先端部を用いて可変式入賞装置を無理に開放させ、遊技球を不正に入賞させる、という不正行為が行われることがある。このため、本出願人は、この種の不正行為の発生を抑制するための提案を種々行ってきた（特許文献１及び特許文献２等を参照）。
【先行技術文献】
【特許文献】
【０００６】
【特許文献１】特開２００８−２０６８９３号
【特許文献２】特開２００８−７３０７０号
【発明の概要】
【発明が解決しようとする課題】
【０００７】
しかし、近年、不正行為の態様が多様化しており、従来の方法では的確に対応できないケースも生じている。つまり、遊技球に糸状部材（釣糸等）を巻き、不正行為者が、糸状部材の一端部を保持した状態で、この糸状部材付き遊技球（以下、「不正球」という。）を通常の遊技球と同じように発射する。そして、この不正球が遊技領域に到達したところで、不正行為者が糸状部材を操って遊技領域内の障害釘等に引っ掛け、不正球を遊技領域の所望の部位に停留させる。この後、この停留する不正球を用いて、遊技領域での遊技球の流下経路を不正に調整したり、意図的な球詰まり（所謂、「ブドウと称する球詰まり」）を発生させ、特定の入賞口への入賞確率を作為的に向上させるという内容の不正行為がなされるケースが生じている。また、糸状部材を操って、不正球そのものを始動入賞口等の特定の入賞口内に設けられた検出スイッチに検出させて、特定の入賞口への入賞を意図的に何度も発生させるといった不正行為の事例も報告されている。このため、遊技機メーカーにとっては、かかる不正行為の発生を抑制するための方策を講ずることが重要である。
【０００８】
本発明は、このような問題を解決するためになされたものであり、その目的とするところは、糸状部材を巻き付けた遊技球を用いた不正行為の発生を抑制することができる遊技機を提供することである。
【課題を解決するための手段】
【０００９】
請求項１に記載の遊技機は、
遊技球を進入させる球進入口を左上部に具備する遊技領域が前面部に形成された遊技盤と、
前記遊技領域を前方に向けた状態で前記遊技盤を保持する本体枠と、
遊技球を貯留可能な皿部材と、
遊技球を発射待機位置に保持する保持手段と、
前記皿部材に貯留されている遊技球を１球ずつ取り込んで前記発射待機位置に送る球送り手段と、
前記発射待機位置に送られてきた遊技球を前記球進入口に向けて発射する発射手段と、
を備えた遊技機であって、
前記球送り手段と前記発射待機位置との間に、前記球送り手段から前記発射待機位置に遊技球を流入させるための流入口を有し、
前記流入口の開口縁に、前記流入口に挿通される糸状部材を進入させて挟み込むスリット部を設けるとともに、
前記スリット部の内壁には、前記スリット部に進入した糸状部材の抜け止めを行うための突起を設けることを特徴とする。
【００１０】
請求項１の遊技機によると、糸状部材を巻き付けた遊技球（不正球）が遊技領域に向かって発射されたとしても、この糸状部材が流入口の開口縁に設けられたスリット部に進入して挟み込まれれば、不正行為を失敗に終わらせることができる。蓋し、糸状部材がスリット部に挟み込まれれば、不正行為者が糸状部材を操ることは、不可能若しくは困難となる。また、スリット部に挟み込まれた糸状部材が、以後、遊技球を正常に発射することの障害となるため、「不正行為者が不正な賞球払い出し（遊技領域に停留する不正球を利用した賞球払い出し）を受けること」が不可能若しくは困難となるからである。
【００１１】
このように、請求項１の遊技機は、「糸状部材を巻き付けた遊技球（不正球）を用いた不正行為」を企てる不正行為者にとっては、不正行為の成功確率が低い遊技機となる。よって、不正行為者に「不正球を用いた不正行為の実行」を躊躇させたり、「不正球を用いた不正行為」を失敗に終わらせることができるため、この種の不正行為の発生を抑制することができる。
また、請求項１の発明では、一旦、スリット部に進入した糸状部材が、スリット部から抜け出ないようにすることができる。これにより、不正球を用いた不正行為の成功確率を低くできる。
【００１２】
なお、請求項１の遊技機によると、糸状部材を巻き付けた遊技球（不正球）を、発射手段を用いて遊技領域に到達させようとしても、発射手段によって発射された不正球の勢いで、糸状部材がスリット部に食い込む可能性を生ずる。この場合、不正球を、「糸状部材が巻き付けられてない遊技球（以下、「通常球」という。）」と同様に遊技領域に到達させることは困難となる。また、不正球が遊技領域に到達した状態で、糸状部材がスリット部に挟み込まれた場合にも、不正行為者にとっては、糸状部材を操ることが不可能若しくは困難となる。更に、糸状部材がスリット部に挟み込まれていない状態で、不正球が遊技領域に到達したとしても、不正行為者が糸状部材を操ること（引っ張ること）で、糸状部材がスリット部に挟み込まれる可能性を生じさせる（不正行為者自らの行為に起因して、糸状部材がスリット部に挟み込まれる可能性を生じさせる。）。
【００１３】
なお、スリット部が、「流入口に挿通される糸状部材を進入させて挟み込む確率」は１００％であることが望ましいが、この確率が１００％未満であっても、請求項１の発明の目的を達成できる。蓋し、この確率が１００％未満であっても、不正行為を企てる不正行為者にとって、本遊技機は不正行為失敗のリスクが高い遊技機である。そして、不正行為者は、「不正行為の対象としようとする遊技機」の仕様・構造を十分に研究するのが通例であるが、スリット部の存在を知った不正行為者は、請求項１の遊技機を敬遠すると考えられるからである。
【００１４】
スリット部は、「流入口の開口縁を構成する部材」に設けられてもよいし、「流入口の開口縁に別途装着される部材」に設けられてもよい。また、スリット部を設ける範囲は、「流入口の開口縁において発射待機位置から発射される遊技球の発射方向に位置する部位」に限定されてもよいが、それよりも広範囲とされてもよい。例えば、流入口の開口縁の全域にスリット部が設けられてもよい。また、スリット部においては、その入口部となる部分（糸状部材の進入口となる部分）が、流入口の開口縁よりも内側に突出することが望ましい。
【００１５】
ここで、「スリット部の幅（糸状部材の進入方向に直交する幅）」と、「対象となる糸状部材の直径」との関係を、例えば、以下のように定めることができる。スリット部の進入口においては、その幅を「対象となる糸状部材の直径」の９５％以上（１００％以上でもよい）とすることで、糸状部材がスリット部に進入する可能性が高くなる（進入し易くなる）。また、スリット部の中間部若しくはスリット部の底部（奥部）においては、「対象となる糸状部材の直径」の５０％〜９５％のうちから選択される値（好ましくは、６０％〜９５％のうちから選択される値）となる部位（幅狭部位）を設けることで、その部位で糸状部材を強固に挟み込むことができるので、そのような幅狭部位を設けることが望ましい。なお、幅狭部位は、スリット部の中間部だけに設けても、スリット部の底部（奥部）だけに設けても、スリット部の中間部およびスリット部の底部（奥部）の双方に設けてもよい。
【００１６】
通常、遊技盤面（遊技盤の前面部）には周壁部材が装着され、この遊技盤面に「遊技球の入口部（球進入口）を左上部に確保しつつ所定形状に囲まれた遊技領域」が設けられる。この「周壁部材」としては、「外側レール及び内側レールとで構成されるレール部材」、「単一のレールで構成されるレール部材」等を例示できる。また、遊技領域の正面から見た外縁形状（略円形）としては、「入口部（球進入口）を構成する開口部を左上部に備える略真円形」、「入口部（球進入口）を構成する開口部を左上部に備える略楕円形」、「入口部（球進入口）を構成する開口部を左上部に備える略楕円形」、「入口部（球進入口）を構成する開口部を左上部に備える略矩形」、「入口部（球進入口）を構成する開口部を左上部に備える略鍵穴形」等を例示できる。
【００１７】
本明細書において参考的に開示する第１の発明（以下、参考発明１という。）の遊技機は、請求項１の発明の遊技機において、
前記スリット部が、前記流入口の手前側と前記流入口の奥側とで開口し、遊技球の発射方向に底部を配置した溝形状に構成されるとともに、
前記スリット部の全域若しくは前記スリット部の底部側において、前記スリット部の幅が前記底部に向かって徐々に狭くなることを特徴とする。
【００１８】
参考発明１の遊技機では、スリット部が「テーパ状（幅を底部の方向に向かって徐々に狭するテーパ状）」に構成されるため、糸状部材をスリット部の底部により近接する位置へ食い込ませることが容易である。そして、スリット部は、底部側に位置する幅の狭い部位（幅狭部位）で糸状部材をより強固に挟み込むことができる。従って、参考発明１の遊技機によると、不正球を用いた不正行為の発生を効果的に抑制できる。
【００１９】
本明細書において参考的に開示する第２の発明（以下、参考発明２という。）の遊技機は、請求項１の発明若しくは参考発明１の遊技機において、
前記スリット部において前記糸状部材を進入させる進入口を構成する部位の両脇には、一対のガイド面が対向する状態に設けられ、
前記一対のガイド面が、互いの間隔を前記進入口から遠ざかるに従って広くするように配置される一対の傾斜面若しくは一対の曲面であることを特徴とする。
【００２０】
参考発明２によると、「流入口に挿通される糸状部材」がスリット部に向かって誘導され易くなり、「糸状部材を巻き付けた遊技球（不正球）を用いた不正行為」の成功確率を更に低くできる。その結果、不正球を用いた不正行為の発生をより効果的に抑制できる。なお、スリット部と、ガイド面を構成する部分（以下、「ガイド部」という。）とを一体的に設けてもよいし、ガイド部を、スリット部に装着される別部材で構成してもよい。
【００２１】
請求項１の発明及び各参考発明では、「複数のスリット部が連続配置される略櫛形状の部材」を、流入口の開口縁に別途装着してもよいし、「流入口の開口縁を構成する部材」に、「複数のスリット部が連続配置される略櫛形状の部分」を設けてよい。「スリット部」を複数連続配置することで、不正球を用いた不正行為の発生を抑制するにあたり、その確実性を高めることができる。
【００２４】
ここで、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、前面枠、上皿部材、下皿部材等のように、「扉の如く、開閉可能な部材（以下、「扉型部材」という。）」において、「左」、「右」、「前」、「後」等は、これらの扉型部材が使用状態にある場合、つまり、閉鎖された状態にある場合を基準としたものである。
【発明の効果】
【００２５】
以上記述したように請求項１の発明によると、糸状部材を巻き付けた遊技球を用いた不正行為の発生を抑制可能な遊技機を得ることができる。
【図面の簡単な説明】
【００２６】
【図１】本発明の各実施例に係る遊技機を示す斜視図である。
【図２】本発明の各実施例に係る遊技機を示す正面図である。
【図３】本発明の各実施例に係る遊技機の本体枠等を説明するための概略的な説明図である。
【図４】本発明の各実施例に係る遊技機の本体枠及び上皿部材等を説明するための概略的な説明図である。
【図５】実施例１に係る遊技機の本体枠、上皿部材及び下皿部材等を説明するための概略的な説明図である。
【図６】実施例１に係る遊技機の上皿部材の概略的な背面図である。
【図７】実施例１に係る遊技機の遊技盤等を示す正面図である。
【図８】実施例１において発射装置ユニットを本体枠に取り付けた状態を説明するための概略的な正面図である。
【図９】球送り装置及び発射装置ユニットの斜視図である。
【図１０】球送り装置（蓋体を取り外した状態）及び発射装置ユニットの斜視図である。
【図１１】球送り装置の概略的な縦断面図である。
【図１２】整流カムの概略的な縦断面図（回転軸に直交する縦断面であって、整流カムの後方から見た状態の縦断面図）である。
【図１３】球送り装置の概略的な縦断面図である。
【図１４】発射装置ユニット及び球送り装置を示す概略的な縦断面図である。
【図１５】発射装置ユニットの正面図である。
【図１６】発射装置ユニットの正面図である。
【図１７】保持部材等を説明するための正面図である。
【図１８】球通路部材の背面図である。
【図１９】球通路部材を本体枠に取り付けた状態を示す概略的な横断面図である。
【図２０】スリット部等を示す斜視図である。
【図２１】図２０の一部拡大斜視図である。
【図２２】スリット部の正面図である。
【図２３】（ａ）は本発明の各実施例において特別図柄表示部を示す概略的な正面図であり、（ｂ）は本発明の各実施例において演出表示装置の表示画面に表示する表示内容を示す概略的な正面図である。
【図２４】（ａ）は左下表示装置の概略的な正面図であり、（ｂ）は右下表示装置の概略的な正面図である。
【図２５】本発明の各実施例に係る遊技機を示す裏面図である。
【図２６】本発明の各実施例に係る電子制御装置を示すブロック図である。
【図２７】本発明の各実施例に係る電子制御装置を示すブロック図である。
【図２８】（ａ）及び（ｂ）はスリット部の作用を説明するための説明図である。
【図２９】スリット部の作用を説明するための説明図である。
【図３０】実施例２に係る遊技機の本体枠、上皿部材及び下皿部材等を説明するための概略的な説明図である。
【図３１】実施例２に係る遊技機の上皿部材の概略的な背面図である。
【図３２】実施例２に係る遊技機の遊技盤等を示す正面図である。
【図３３】実施例２において発射装置ユニットの取付状態等を説明するための概略的な正面図である。
【図３４】発射装置ユニット及び球送り装置を示す概略的な縦断面図である。
【図３５】発射装置ユニット及び球送り装置を示す概略的な横断面図である。
【図３６】実施例２において溝形成部材の取付位置を説明するための説明図である。
【図３７】（ａ）は実施例３のスリット部を説明するための正面図であり、（ｂ）は図３７（ａ）の一部拡大正面図である。
【図３８】（ａ）は変形例１を説明するための説明図であり、（ｂ）は変形例２を説明するための説明図であり、（ｃ）は変形例３を説明するための説明図である。
【図３９】（ａ）は変形例４を説明するための説明図であり、（ｂ）は変形例５を説明するための説明図である。
【図４０】変形例６を説明するための説明図である。
【発明を実施するための形態】
【００２７】
以下、発明を実施するための最良の形態を示す実施例について図面に基づいて説明する。以下に示す各実施例では、本発明を「セブン機」と称する遊技機（パチンコ機）１に適用した各具体例について説明する。
【実施例１】
【００２８】
（１）機械的な構造
ａ．遊技機の全体構造
先ず、この遊技機１の全体構造について、図１〜図３を参照して説明する。この遊技機１は、図１及び図２に示すように、外枠２と、この外枠２に装着された遊技機本体Ｈと、を備えている。また、外枠２は、パチンコホールの島設備に設けられた設置部位に固定されるとともに遊技機本体Ｈを支持するためのものである。この外枠２は、略矩形状の枠状体によって構成される外枠本体２１（図１及び２を参照）と、外枠本体２１の前面下部を覆う前板部２２とを備えている。
【００２９】
遊技機本体Ｈは、外枠２の左端側上下のヒンジＨ１、Ｈ２（図１を参照）を用いて、外枠２の左端側に回動自在に組み付けてられている。この遊技機本体Ｈは、遊技機１のうちで外枠２を除く部分であって、図１に示すように、本体枠３と、前面枠４と、上皿部材５と、下皿部材６と、遊技盤１０（図７を参照）と、裏機構盤１０２（図２５を参照）等を主要部としている。また、本体枠３は、図３に示すように、外枠２に嵌めこまれ、外枠２に対して開閉可能に軸支されている。尚、本体枠３の右端側には、施錠装置７が装着されている。
【００３０】
本体枠３は、全体がプラスチック製であり、図３に示すように、枠状体によって構成されている。この本体枠３は、上半部に窓部３Ｍを備える枠本体部３ｂと、枠本体部３ｂの裏面部から略矩形枠状に突出する突出部３ｃとを備える。そして、本体枠３は、この突出部３ｃを用いて遊技盤１０を保持するための保持部を構成している。つまり、突出部３ｃの突端面であって、窓部３Ｍの左方側の上下と、窓部３Ｍの右方側の上下には保持具３ｆが回動可能な状態で装着され、保持具３ｆの突端部を遊技盤１０の後面部に当接させることで遊技盤１０が本体枠３により保持されている。
【００３１】
本体枠３が遊技盤１０を保持したとき、「遊技盤１０の前面部１０ａに構成される遊技領域１１」を、窓部３Ｍによって本体枠３の前方から視認することができる。また、遊技盤１０の背面部には、裏機構盤１０２（図２５参照）が装着され、この背面部を覆う状態とされている。
【００３２】
なお、遊技球を上皿部材５に払い出すための遊技球払出装置１０９が、裏機構盤１０２に配設されている（図２５を参照）。なお、本体枠３の前面部左端側には、遊技球を後述する上皿部材５の方向（前方）に向かって排出するための排出口３５が設けられている（図４を参照）。
【００３３】
前面枠４は、図１に示すように、本体枠３の前面側に配置され、本体枠３の左端に開閉可能に支持されている。この前面枠４はその中央部に視認窓４１ａを備えている。この視認窓４１ａは前面枠４の前後に貫通する状態に設けられ、遊技盤１０の遊技盤面（遊技盤１０の前面部）に形成された遊技領域１１（図７参照）の外周形状に対応して略円周状に開設され、前面枠４を閉じたときにその背後に配置される遊技領域１１が、この視認窓４１ａによって前方から視認可能とされる。
【００３４】
前面枠４は、図１に示すように、枠本体４１と、この枠本体４１に装着されるガラス板４３と、ガラス板４３を枠本体４１に保持させるための保持具（図示を省略）とを備える。また、前面枠４の上端部側の左右には、各々スピーカＳＰ１、ＳＰ２が内蔵されている。また、本遊技機１においては、前板部２２の左右両端にも、スピーカＳＰ３、ＳＰ４が内蔵されている。そして、本遊技機１においては、これらのスピーカＳＰ１〜ＳＰ４を用いて、遊技状態に応じた効果音その他の音（音声）を発生させる。
【００３５】
図１及び図２に示すように、遊技機本体Ｈの前面部のうちで前面枠４の下方の部位には、上皿部材５と下皿部材６とが設けられている。すなわち、上皿部材５は前面枠４の下方に配置され、その略容器形状とされる内部に遊技機１の裏側から排出される遊技球を受け入れて貯留するためのものである。なお、本実施例と異なり、上皿部材５及び下皿部材６を単一の皿部材で構成することもできる。  
【００３６】
上皿部材５は、図４〜図６を用いて示されるように、略矩形の板形状に構成される背板部５Ａと、背板部５Ａの前面部から前方に突出する状態に配置される上皿本体５Ｂと、を備えている。また、この背板部５Ａの左端部が、ヒンジ５ｈを用いて本体枠３に支持されている。更に、図４及び図５に示すように、背板部５Ａの左端寄りであって、「本体枠３の排出口３５」と前後に位置合わせ可能な位置（上皿部材５の閉鎖時に位置合わせ可能な位置）からは球受入部５ｄが突出している。この球受入部５ｄは、略筒形状とされると共に、その軸心を後方に向かって上がり傾斜状としている。
【００３７】
図４及び図５に示すように、背板部５Ａの左端部寄りには、上皿導入口５ｂが前後に貫通する状態に設けられている。また、図１に示すように、上皿本体５Ｂは基体部５１Ｂと、基体部５１Ｂから立ち上げられた略円弧状の前壁５１Ｃと、を備え、基体部５１Ｂと、前壁５１Ｃと、背板部５Ａとが協働して、上方に開口する貯留部５１Ｇを構成する。そして、上皿導入口５ｂの前端部は、貯留部５１Ｇの左端側において開放されるとともに、上皿部材５が本体枠３に対して閉鎖された状態となると、上皿導入口５ｂの後端部が球受入部５ｄに接続されるため、遊技球払出装置１０９（後述する。）から払い出される遊技球は、排出口３５、球受入部５ｄを、この順に通過して貯留部５１Ｇ内に導入される。
【００３８】
図４に示すように、貯留部５１Ｇの底部からは、略円弧状（曲率中心を右斜め後方に配した略円弧状）の仕切壁５１Ｄが立ち上げられている。この仕切壁５１Ｄは、貯留部５１Ｇの左右方向略中央部における後端から、貯留部５１Ｇの右端側における前後方向中間部に向かって設けられている。そして、貯留部５１Ｇの底部は、仕切壁５１Ｄの左側と、仕切壁５１Ｄの正面前方において、右方向に緩やかに下る下り傾斜を備え、その他の部位においては、左方向に緩やかに下る下り傾斜を備えている。
【００３９】
このため、上皿導入口５ｂを通じて、貯留部５１Ｇに導入される遊技球は、図４の矢印に示すように、仕切壁５１Ｄの左側の部位を右方向に転動し、仕切壁５１Ｄの前方を更に右方向に転動した後、仕切壁５１Ｄの右端部を反時計回り（上方から見て、反時計回り）に半回転（反転）した後、仕切壁５１Ｄの後方を左方向に転動しようとする挙動を示すことになる。
【００４０】
図４に示すように、貯留部５１Ｇの底部であって、仕切壁５１Ｄの右端部の後方に位置する部位には、球抜口５１ａが設けられている。この球抜口５１ａは、背板部５Ａの背面の球抜き通路５１ｂ（図６を参照）に連通可能とされているが、通常、球抜口５１ａと球抜き通路５１ｂは弁体５１ｃ（後述する）によって遮断されている。また、貯留部５１Ｇの底部のうち、仕切壁５１Ｄの後方であって、しかも、球抜口５１ａの左側に位置する部位には、遊技球整列部５１ｄが設けられている。つまり、遊技球整列部５１ｄは、１球の遊技球のみが進入して転動可能な前後幅を備える凹部によって構成され、その底部は、左方向に向かう下り傾斜を有している。また、遊技球整列部５１ｄは、貯留部５１Ｇの後端側において、仕切壁５１Ｄの左端部に向かって形成され、その左端部において、背板部５Ａの背面の球送り通路５１ｅ（図６を参照）に連絡されている。
【００４１】
次に、背板部５Ａの背面側の構造について図６を用いて説明する。なお、図６における「左」、「右」の表記は正面視での方向を指している。図６に示すように、背板部５Ａの左端側の背面（背面視で右端側）には、球送り装置８０が装着されている。また、背板部５Ａの背面には、遊技球整列部５１ｄから背板部５Ａの後方に送り出される遊技球を、球送り装置８０に到達させるための球送り通路５１ｅが設けられている。この球送り通路５１ｅは、背板部５Ａの背面部に設けられる溝部を用いて構成され、背板部５Ａの略中央から左端側（背面視で右端側）に向かう下り傾斜を有している。そして、球送り通路５１ｅの下端部は、球送り装置８０の取入口８１ａ（後述する。）に連通されている。なお、球送り装置８０の詳細については後述する。また、前述の球抜き通路５１ｂや、後述する第２球抜き通路５１ｆも、背板部５Ａの背面部に設けられる溝部を用いて構成されている。
【００４２】
背板部５Ａの背面であって、球送り通路５１ｅの下端部側（取入口８１ａとの連通部分よりも上流側）には、背板部５Ａの略中央に向かって下り傾斜となる第２球抜き通路５１ｆが設けられている。この第２球抜き通路５１ｆと球送り通路５１ｅとの連通及び遮断は、弁体５１ｇを操作することで選択される。そして、弁体５１ｇが、第２球抜き通路５１ｆと球送り通路５１ｅを遮断すると、球送り通路５１ｅ内の遊技球は、球送り装置８０に送り出され、第２球抜き通路５１ｆと球送り通路５１ｅを連通させると、球送り通路５１ｅ内の遊技球は、第２球抜き通路５１ｆに進入する。但し、通常時において、第２球抜き通路５１ｆと球送り通路５１ｅは、弁体５１ｇによって遮断された状態とされる。
【００４３】
背板部５Ａの背面であって、球送り通路５１ｅの上流側には、前述の球抜き通路５１ｂが設けられている。そして、前述のように、通常、球抜口５１ａが弁体５１ｃによって遮断されているため、貯留部５１Ｇ内において、仕切壁５１Ｄの右端部を反時計回りに半回転した遊技球は、球送り通路５１ｅに進入するが、弁体５１ｃを操作し、球抜口５１ａと球抜き通路５１ｂを連通させると、この半回転した遊技球は、球抜き通路５１ｂに流入することになる。
【００４４】
図１及び図４等に示すように、上皿本体５Ｂの前面部には、この弁体５１ｃを操作するための球抜きボタン５Ｎが配置されている。そして、遊技者が、この球抜きボタン５Ｎを操作すると（例えば、押圧すると）、球抜口５１ａと球抜き通路５１ｂが連通することになる。また、この上皿部材５の外郭部分は、レンズ状のプラスチックを主体され、上皿部材５の内部にも、ＬＥＤ基板４ｉが内蔵されている（図２を参照）。また、上皿部材５の裏側（背板部５Ａの後面部）には、球貸表示基板４１０（図２５参照）及び演出ボタン基板２２８（図２５参照）が設けられている。
【００４５】
図２に示すように、下皿部材６には、遊技機１の内部から遊技球を排出するための排出口６ａが設けられ、下皿部材６の右端には発射ハンドル９が設けられている。また、図５に示すように、下皿部材６の底面には球抜き孔６ｄが設けられている。この球抜き孔６ｄは、通常時には、閉鎖されているが、下皿部材６に貯留された遊技球を遊技機１から排出する際に開放状態とされる。なお、図６に示すように、球抜き通路５１ｂと、第２球抜き通路５１ｆは、下皿部材６の背面の連絡通路６１ｅ、６１ｆと連通するとともに、これらの連絡通路６１ｅ、６１ｆの端末部は、排出口６ａに連通している。このため、球抜き通路５１ｂに流入した遊技球と、第２球抜き通路５１ｆに流入した遊技球は、各々、下皿部材６に向かって排出される。
【００４６】
なお、上皿部材５の貯留部５１Ｇに貯留される遊技球が、その上限量に到達した場合、その上限量を超える遊技球は、遊技機１の裏側において、誘導樋（遊技球払出装置１０９から払い出される遊技球を上皿部材５等に向かって誘導する誘導樋）から、下皿部材用球通路部材（図示を省略）に移行した後、本体枠３前面側の通路ボックス３Ｂ（図４を参照）を通過して、下皿部材６に到達する。また、上皿部材５が開放状態とされ、上皿導入口５ｂと球受入部５ｄとの接続が解除された状態で排出口３５から排出される遊技球も、通路ボックス３Ｂ（図４を参照）に回収され、下皿部材６に到達する。
【００４７】
図１に示すように、下皿部材６の右端には、後述する発射装置９１を操作するため発射ハンドル９が設けられている。この発射ハンドル９は、その回転量を調整することで、発射装置９１が遊技球に加える打撃力が調整される。また、発射ハンドル９には、遊技者が触れていることを検出するタッチスイッチ（タッチセンサ）９ａが装着されており、その近傍には、遊技球の発射を一時的に停止するための発射停止スイッチ９ｂが装着されている。
【００４８】
図７及び図８に示すように、本体枠３の前面部下方側（本体枠３の内部）であって、遊技盤１０よりも下方の左端側に位置する部位には、発射装置ユニット９０が配設されている。この発射装置ユニット９０は、球送り装置８０から送り出される遊技球を略鉛直上方に発射して、遊技領域１１に到達させるためのものである。そして、図９及び図１０に示すように、上皿部材５の背面部に装着される球送り装置８０と、本体枠３の前面部に装着される発射装置ユニット９０は、上皿部材５を本体枠３に対して閉鎖したときに、前後に略重ね合わされた状態（互いに対向した状態）となるように配置される。次に、球送り装置８０及び発射装置ユニット９０について詳細に説明する。
【００４９】
球送り装置８０は、球送り手段の具体例を構成するものであり、図９〜図１１に示されるように、ハウジング８１と、ハウジング８１の内部に揺動可能な状態に支持された整流カム８２と、ハウジング８１の内部に配置された電磁コイル８５と、を備えている。また、ハウジング８１は、略容器形状に構成されるベース体８１ａと、ベース体８１の開口部に装着される蓋体８１ｂとを備える。また、本実施例では、ベース体８１ａの開口部を前方に向け、蓋体８１ｂでハウジング８１の前面部を構成する状態で用いている。
【００５０】
図１４に示すように、蓋体８１ｂには、「球送り通路５１ｅの端末部（左端部）から遊技球を１球ずつ受け入れるための受入口８１ｃ」が設けられている。また、ベース体８１ａの奥壁部には、遊技球を１球ずつ送り出すための送り出し口８１ｖが設けられている。更に、図１１に示すように、ベース体８１ａの内部であって、受入口８１ｃの後方に位置する部位には、受入口８１ｃから受け入れた遊技球を受け取って保持するための保持壁８１ｅが設けられており、その保持壁８１ｅの上方には調整壁８１ｆが設けられている。
【００５１】
図１１に示すように、整流カム８２は、略Ｌ字状に構成される本体部８２ａと、本体部８２ａの底部から垂下する保持部８２ｂと、を備えている。また、本体部８２ａにおいて、上下方向に配置される部分（以下、「第１の部分８２ｃ」という。）と、水平方向に配置される部分（以下、「第２の部分８２ｄ」という。）の境界位置においては、前後（肉厚方向）に縦断する状態の支持軸８２ｖを備える。そして、図１４に示すように、この支持軸８２ｖにおいて、整流カム８２の前面側に突出する端部が、蓋体８１ｂに設けられた軸受部８１ｍによって回転可能に支持されている。また、支持軸８２ｖにおいて、整流カム８２の後面側に突出する端部が、ベース体８１ａに設けられた軸受部８１ｈによって回転可能に支持されている。このため、整流カム８２は、ハウジング８１内において、支持軸８２ｖを基準に揺動可能とされている。
【００５２】
図１１に示すように、第１の部分８２ｃの上端面（以下、「受け取り面」という。）８２ｅは、保持壁８１ｅの方向に（図中の右方向）向かう下り傾斜を有しており、「第１の部分８２ｃにおいて第２の部分８２ｄ側に位置する側面（図中の左側面）」と、「第２の部分８２ｄの上面」とが、その境界部分で連続しつつ略円弧状に凹む凹面（以下、「受け渡し面」という。）８２ｇを構成している。そして、受け渡し面８２ｇの下端側は、後方（図１０において奥方向、図１２において手前方向）に向かう下り傾斜を有している。なお、図１１における「左」、「右」の表記は正面視での方向を指している。
【００５３】
図１１に示すように、保持部８２ｂは永久磁石８２ｘを保持するとともに、電磁コイル８５は、その一端面（磁着面）を保持部８２ｂに対向させた状態で配置されている。そして、電磁コイル８５への通電を行うと、電磁コイル８５と保持部８２ｂ（永久磁石８２ｘ）との間に反発力（斥力）を生ずる構成とされている。
【００５４】
この球送り装置８０において、電磁コイル８５への通電を行わない場合、第１の部分８２ｃを上下に向けるとともに第２の部分８２ｄを略水平に向け、保持部８２ｂを垂下させる状態（以下、「初期状態」という。）となるように、整流カム８２の重量バランス（重心位置）が設定されている。このように、整流カム８２が初期状態にあると、保持部８２ｂと電磁コイル８５の一端面（磁着面）とは僅かな隙間を挟んで対向した状態となるとともに、受け取り面８２ｅと保持壁８１ｅの上面部とが、左右に位置合わせされる。
【００５５】
このとき、図１１に示すように、保持壁８１ｅの上面部が左方向（受け取り面８２ｅの方向）に下り傾斜を有するとともに、受け取り面８２ｅが右方向（保持壁８１ｅの方向）に下り傾斜を構成しつつ、保持壁８１ｅの上面部よりも僅かに下方に位置する。このため、受入口８１ｃから受け入れた遊技球は、保持壁８１ｅを左方向に転動した後、受け取り面８２ｅに移行する。但し、受け取り面８２の左端側においては、調整壁８１ｆの下面との間に遊技球の直径よりも小さな隙間が存在するのみであるため、受け取り面８２ｅ上の遊技球は、その左側部を調整壁８１ｆに当接させた状態で、受け取り面８２ｅに停留する。そして、受け取り面８２ｅでは、１球の遊技球のみを保持可能であるため、受け取り面８２ｅに停留する遊技球に後続する遊技球は、保持壁８１ｅの上面部で停留する。
【００５６】
一方、電磁コイル８５への通電を行うと、図１３に示すように、電磁コイル８５と保持部８２ｂ（永久磁石８２ｘ）との間に生ずる反発力（斥力）によって、整流カム８２が、保持部８２ｂ（永久磁石８２ｘ）を電磁コイル８５の一端面（磁着面）から遠ざけるように回動する。これにより、第１の部分８２ｃが右方向に傾動し、第２の部分８２ｄが左上がり傾斜となる。これにより、受け取り面８２の左端側において、調整壁８１ｆの下面との隙間が、遊技球の直径以上に拡大されるため、受け取り面８２ｅで保持されていた遊技球は、受け渡し面８２ｇの中心方向に転動する。
【００５７】
そして、この遊技球は受け渡し面８２ｇの後方向かう下り傾斜を用いて後方（図１３において奥方向）に転動し、送り出し口８１ｖを通じて球送り装置８０外へと排出され、発射装置ユニット９０へ供給される。但し、電磁コイル８５への通電は、受け取り面８２ｅで保持されていた遊技球が、受け渡し面８２ｇに移行する毎に（移行すると略同時に）停止されるため、当該移行した遊技球に後続する遊技球（保持壁８１ｅ上で待機していた遊技球）は受け取り面８２ｅで停留する。そして、本実施例の球送り装置８０では、電磁コイル８５への通電と、通電の停止（遮電）とを遊技球の発射に連動して繰り返すことで、発射装置ユニット９０に対して遊技球を間欠的に１球ずつ供給することとなる。なお、図１３における「左」、「右」の表記は正面視での方向を指している。
【００５８】
次に、発射装置ユニット９０について説明する。この発射装置ユニット９０は、図１５に示すように、本体枠３の前面側に配置されるもので、発射装置９１と、遊技球を発射待機位置に保持するために発射装置９１に装着された保持部材９３と、ガイド部材９４と、球通路部材９６とを備える。なお、保持部材９３は保持手段の具体例を構成し、発射装置９１は発射手段の具体例を構成する。
【００５９】
発射装置９１は、図１６に示すように、取付基板９１ａと、クラッパー型ソレノイド（電磁石）９１ｂと、ハンマー９１ｃと、ストッパー９２ａ、９２ｂとを備える。また、クラッパー型ソレノイド（電磁石）９１ｂは、固定子９２ｆと、可動子９２ｇとを備えるとともに、ハンマー９１ｃは可動子９２ｇに一体化されている。
【００６０】
固定子９２ｆは、筒状のコイル９２ｅの筒内に配置される内鉄心９２ｈと、この内鉄心９２ｈの基端に連接される外鉄心９２ｊとを備え、内鉄心９２ｈの先端部には、開口磁極面を構成する凹部９２ｋが設けられている。なお、内鉄心９２ｈ及び外鉄心９２ｊは、軟質磁性体（珪素鋼板）を多数枚積層した構成を備える。また、固定子９２ｆは、取付基板９１ａの前面部にピン、ネジ等を用いて固定されている、
【００６１】
可動子９２ｇも、珪素鋼板等の磁性体（珪素鋼板）を多数枚積層した構成を備え、一端部がピン９２ｍを用いて回転可能な状態に支持されている。また、可動子９２ｇの中間部には、突出部９２ｎが設けられている。この突出部９２ｎは、凹部９２ｋよりも一回り小さな相似形状に構成され、コイル９２ｅへの通電がなされると、凹部９２ｋに吸引され、凹部９２ｋに進入する。このとき、凹部９２ｋの内壁面と、突出部９２ｎとの間には隙間（クリアランス）が設けられる。
【００６２】
ハンマー９１ｃは、可動子９２ｇにおいて突出部９２ｎの形成部位よりも先端側に一体化されている。また、可動子９２ｇには、その自重によって、「突出部９２ｎを凹部９２ｋから離させる方向への回転力」が作用する。このため、コイル９２ｅへの通電を行わない場合には、可動子９２ｇは、この回転力によって、図中矢印Ｂ方向に回転する。そして、可動子９２ｇにおいて、ハンマー９１ｃの形成位置の裏側（対向外面側）に位置する部位９２１ｇが、取付基板９１ａに装着されたストッパー９２ａに当接して、下方から支持された状態とされる。
【００６３】
なお、以下の説明において、「ストッパー９２ａで支持された状態にあるときの可動子９２ｇの姿勢」を「後退姿勢」と称する。また、可動子９２ｇの動作の円滑化を図るために、付勢手段（圧縮コイルスプリング等）を用いて可動子９２ｇを付勢してもよい。例えば、付勢手段の付勢力を可動子９２ｇに負荷し、「突出部９２ｎが凹部９２ｋから離れるように回転させる回転力」を可動子９２ｇに負荷してもよい。また、本実施例と異なり、「突出部９２ｎを凹部９２ｋから離させる方向への回転力」が作用しない状態で、可動子９２ｇを配置する場合（例えば、上方に配置されるピン９２ｍによって、可動子９２ｇが吊り下げられた状態で配置される場合）には、この付勢手段が必要となる。
【００６４】
保持部材９３は、図１７に示すように、取付基板９１ａの前面部に装着されることで、取付基板９１ａの前面部に「遊技球の発射待機位置」を形成するとともに、ガイド部材９４と協働して、遊技球の発射方向を規制する部材である。この保持部材９３は、右上がり傾斜状に配置される受け部９３ａと、受け部９３ａの左端部から左上がり傾斜状に延設される左側板部９３ｂと、受け部９３ａの右端部から左上がり傾斜状に延設される右側板部９３ｃとを備えている。また、受け部９３ａは遊技球の直径よりも大きな幅を有するとともに、その肉厚方向を貫通する貫通孔９３ｄを備える。
【００６５】
球送り装置８０から送られる遊技球は、保持部材９３上部の開口（左側板部９３ｂの上端部と、右側板部９３ｃの上端部との間に設けられる開口）から、保持部材９３内に落下した後、貫通孔９３ｄに嵌り込む。つまり、貫通孔９３ｄの直径は、遊技球の直径よりも小さくされているため、保持部材９３内に落下して、受け部９３ａに到達した遊技球は、その下方側の「約１／３」の部分を受け部９３ａの下方に突出させた状態で、受け部９３ａに保持される。そして、このときの遊技球の位置が発射待機位置である。
【００６６】
ガイド部材９４は、取付基板９１ａの前面部に装着され、保持部材９３と球通路部材９６との間に遊技球の通路を構成する部材である（図１５参照）。つまり、左側板部９３ｂの斜め上方に配置される左レール部９４ｂと、右側板部９３ｃの斜め上方に配置される右レール部９４ｃとを備えている。
【００６７】
発射装置ユニット９０においては、コイル９２ｅに通電を行わないと、可動子９２ｇは後退姿勢となり、ハンマー９１ｃは受け部９３ａの下方に位置する状態となる（図１６を参照）。そして、コイル９２ｅに通電を行うと、突出部９２ｎ（磁性体で構成）が凹部９２ｋに吸引されるため、「突出部９２ｎを凹部９２ｋに近接させる方向に回転するための回転力」が可動子９２ｇに負荷される（図１５を参照）。そして、ハンマー９１ｃが、受け部９３ａの下方に突出する遊技球の下端側を打撃し、この遊技球を発射した後、可動子９２ｇの先端部９２２ｇが、「取付基板９１ａの前面部に装着されたストッパー９２ｂ」に、その下方から当接する。このとき、突出部９２ｎと凹部９２ｋとの間には微少隙間が維持された状態となる。なお、先端部９２２ｇがストッパー９２ｂに当接したときの可動子９２ｇの姿勢を、前進姿勢という。
【００６８】
本遊技機では、球送り装置８０の球送り動作（電磁コイル８５のＯＮ／ＯＦＦ制御）は、クラッパー型ソレノイド（電磁石）９１ｂの作動と同期制御されており、図１４に示すように、発射ハンドル９の回転操作に基づき、発射装置ユニット９０から遊技球が発射される毎に、送り出し口８１ｖから受け部９３ａに向かって、遊技球が１球ずつ落下する。
【００６９】
球通路部材９６は、略樋形状を備え、図８及び図１９に示すように、本体枠３の前面部における左下方側に装着されている。そして、発射装置ユニット９０と、「遊技盤１０の前面（盤面左端側）の誘導経路Ｙ（図７を参照）」との間を連絡する通路を形成する。この球通路部材９６は、図１８に示すように、前壁部９６ａと、前壁部９６ａの周縁部から後方（球通路部材９６の背面側）に突出する周壁部９６ｂと、前壁部９６ａの裏面略中央から後方（球通路部材９６の背面側）に突出する仕切壁部９６ｃとを備える。なお、図１８における「左」、「右」の表記は正面視での方向を指している。そして、この球通路部材９６は、図１９に示すように、周壁部９６ｂ及び仕切壁部９６ｃの突端面を、本体枠３の前面部に当接させ、前壁部９６ａと本体枠３の前面部との間に、遊技球が通過可能な空間（樋）を設けた状態で、本体枠３の前面部に装着されている。
【００７０】
前壁部９６ａは、図１８に示すように、略台形状に構成され、上縁部を略水平方向に沿った略直線形状とし、左側縁部（背面視で右端部側）を上下方向に沿った略直線形状とし、右側縁部（背面視で左端部側）を左上がり傾斜上の略直線形状とするとともに、下縁部を左右方向中間部で屈曲する屈曲形状としている。また、周壁部９６ｂは、前壁部９６ａの左側縁部から後方に突出する第１周壁部９６ｄと、右側縁部から後方に突出する第２周壁部９６ｅと、下縁部の左端側から後方に突出する第３周壁部９６ｆとを備える。
【００７１】
第３周壁部９６ｆは、その左端部を第１周壁部９６ｄの下端部と一体としつつ、下縁部の屈曲部９６ｇまで到達している。つまり、球通路部材９６においては、前壁部９６ａの下端縁のうちで屈曲部９６ｇよりも右側の部位（以下、「入口形成部９６Ｗ」という。）には周壁部９６ｂが存在せず、下方に向かって開放されている。そして、この下方に向かって開放されている部位によって、球通路部材９６に入球が進入するための入口部９６ｈを構成する。また、球通路部材９６においては、前壁部９６ａの上縁部にも、周壁部が存在せず、上方に向かって開放されている。そして、この上方に向かって開放されている部位によって、球通路部材９６から遊技球を排出するための出口部９６ｊを構成する。
【００７２】
図１８に示すように、前壁部９６ａの下方側のうちで屈曲部９６ｇよりも右側の部位が、前壁部９６ａを構成する他の部位に比べて肉厚を段差状に薄くした板状の部位（以下、「下方板状部」という。）９６Ｖとされている（図２０を参照）。そして、下方板状部９６Ｖの下端面によって入口形成部９６Ｗを構成している。
【００７３】
図２０及び図２１に示すように、下方板状部９６Ｖには、複数（本実施例では、４個）の溝部９６Ｘが設けられている。これらの溝部９６Ｘは、下方板状部９６Ｖ（前壁部９６ａ）の下端面（入口形成部９６Ｗ）、下方板状部９６Ｖ（前壁部９６ａ）の前面および下方板状部９６Ｖ（前壁部９６ａ）の後面で開口するとともに、その軸心が第２周壁部９６ｅに沿って傾斜する状態とされている（図１８を参照）。また、各溝部９６Ｘは、スリット部９７とガイド空間部９６Ｍとを備え、ガイド空間部９６Ｍはスリット部９７の進入口９７ａと連続しつつスリット部９７の下方に配置されている。
【００７４】
以下、便宜上、下方板状部９６Ｖを４個の溝部９６Ｘを基準に５個の領域部Ｒ１〜Ｒ５に分けて説明する。つまり、図２０及び図２１において、左端に図示される溝部９６Ｘの左側の部分を「第１領域部Ｒ１」、左端に図示される溝部９６Ｘと、左から２番目に図示される溝部９６Ｘとの間の部分を「第２領域部Ｒ２」、左から２番目に図示される溝部９６Ｘと、左から３番目に図示される溝部９６Ｘとの間の部分を「第３領域部Ｒ４」、右端に図示される溝部９６Ｘの右側の部分を「第４領域部Ｒ４」とする。
【００７５】
そして、隣接する領域部間（Ｒ１とＲ２の間、Ｒ２とＲ３の間、Ｒ３とＲ４の間、Ｒ４とＲ５の間）に、前述の溝部９６Ｘが設けられているが、「各領域部Ｒ１〜Ｒ５の下端側（入口形成部９６Ｗに近接する側）」において、「隣接する他の領域部Ｒ１〜Ｒ５の下端側」と対向する面が、ガイド面９６ｒを構成している。つまり、各領域部Ｒ１〜Ｒ５の下端側において、溝部９６Ｘを挟んで対向する各一対のガイド面９６ｒは、スリット部９７の進入口９７ａ側に向かって徐々に間隔を狭くする傾斜面として構成されている。そして、各一対のガイド面９６ｒ間に形成される空間部が、前述のガイド空間部９６Ｍであり、その上端部がスリット部９７の下端部と屈曲状に一体化されている。
【００７６】
図２０〜図２２に示すように、スリット部９７は、溝部９６Ｘにおいて、ガイド空間９６Ｍよりも上方の部位によって構成され、上端部（溝底部９６Ｔ）に向かうに従って、その幅（スリット部９７の深さ方向と直交する方向とともに下方板状部９６Ｖの前面部に沿った幅）が狭くされている。つまり、各スリット部９７を形作るために、下方板状部９６Ｖに設けられる各一対の壁面Ａ１、Ａ２（図２２を参照）は、下方板状部９６Ｖの幅方向に向かって対向しつつ、相互の間隔を上端部（溝底部９６Ｔ）に向かうに従って狭くしている。また、スリット部９７は、正面視で「略Ｖ字形状（逆さを向いた略Ｖ字形状）」とされている。
【００７７】
ここで、壁面Ａ１、Ａ２と、各壁面Ａ１、Ａ２に対応するガイド面９６ｒ、９６ｒとの間では、「傾斜角」や「入口形成部９６Ｗ方向に沿った幅」が異なったものとされている。つまり、図２８及び図２９に示すように遊技球に巻き付けられた糸状部材９８Ｂ（例えば、釣り糸）は、入口形成部９６Ｗの広範囲な位置に到達する可能性がある。その糸状部材９８Ｂをスリット部９７に対して円滑に案内するために、ガイド面９６ｒ、９６ｒは、入口形成部９６Ｗに対して緩やかに傾斜するとともに、ガイド面９６ｒ、９６ｒの入口形成部９６Ｗ方向に沿った幅は広くされている。一方、スリット部９７では、一旦、進入した糸状部材９８Ｂを逃がさないようにするために（スリット部９７から抜け出ることがないようにするために）、その傾斜角を入口形成部９６Ｗに対して急激なものとしつつ、スリット部９７の幅を、その上端部（溝底部９６Ｔ）に向かって狭くしている。
【００７８】
また、スリット部９７を以下のように定めることができる。つまり、不正行為者は、糸状部材９８Ｂとして、「ナイロン製の釣り糸」、「ポリエチレン製の釣り糸（ポリエチレンの繊維を寄り合わせた釣り糸）」若しくは、「フロロカーボン製の釣り糸（ポリフッ化ビニリデンを用いた釣り糸）」等を用いることが予測されるが、いずれも適度な弾性（伸びやすい）と、適度な耐摩擦強度を備えている。また、釣り糸としては、「０．６号（直径；０．１２８ｍｍ）」、「０．８号（直径；０．１４８ｍｍ）」、「１号（直径；０．１６５ｍｍ）」、「１．５号（直径；０．２０３ｍｍ）」、「２号（直径；０．２３４ｍｍ）」、「３号（直径；０．２８５ｍｍ）」、「４号（直径；０．３３１ｍｍ）」、「５号（直径；０．３７０ｍｍ）」、「６号（直径；０．４０５ｍｍ）」、「７号（直径；０．４３５ｍｍ）」、「８号（直径；０．４７０ｍｍ）」及び「１０号（直径；０．５２０ｍｍ）」の太さのもの等が多く流通している。
【００７９】
不正行為者は、かかる状況の下、糸状部材９８Ｂとして、「目立ち難い太さであって、しかも、十分な引っ張り強度を備える釣り糸」を選択するものと予測される（例えば、１号〜５号までの間の釣り糸）。例えば、不正行為者が、直径Ｄｍｍ（Ｄは正数）の釣り糸を選択する可能性が高いと想定される場合、当該直径Ｄｍｍの釣り糸を基準として、スリット部９７の進入口９７ａの幅ｄ１を、「１．０５Ｄｍｍ〜１．３５Ｄｍｍのうちの何れかの幅」とし、スリット部９７の溝底部（奥端部）の幅ｄ２を、「０．５５Ｄｍｍ〜０．９５Ｄｍｍのうちの何れかの幅」とする具体例を例示できる（図２２を参照）。なお、ガイド空間部９６Ｍの入口部の幅ｄ３を、「１．１５Ｄｍｍ〜２．２５Ｄｍｍのうちの何れかの幅」とすることもできる（図２２を参照）。
【００８０】
何れかのガイド空間９６Ｍに糸状部材９８Ｂが進入して、その糸状部材９８Ｂが溝部９６Ｘを上昇するとき、糸状部材９８Ｂはガイド面９６ｒに接触しながらスリット部９７に進入するか、ガイド面９６ｒに接触することなく、そのままスリット部９７に進入する。そして、糸状部材９８Ｂが更に上昇すると、糸状部材９８Ｂの外周面が壁面Ａ１、Ａ２に圧迫されて圧縮変形されつつ、スリット部９７内を上方に移動して、所定の位置で壁面Ａ１、Ａ２に挟まれ、それ以上、上昇することができなくなる。これにより、糸状部材９８Ｂの中間部がスリット部９７に引っ掛った状態となり、糸状部材９８Ｂをスリット部９７から引き抜くことが困難となる。或いは、糸状部材９８Ｂをスリット部９７から引き抜こうとすると、糸状部材９８Ｂの中間部が切断される可能性を生ずる。
【００８１】
図１８に示すように、仕切壁部９６ｃは、上下方向中間部に屈曲部９６ｋを設けつつ、上下に設けられ、「球通路部材９６が本体枠３の前面部に装着されて構成する空間部」を左右に区画する。また、仕切壁部９６ｃにおいて、屈曲部９６ｋよりも上方側の部位は第２周壁部９６ｅと略平行とされ、屈曲部９６ｋよりも下方側の部位は第１周壁部９６ｄと略平行とされている。
【００８２】
図１５及び図１９に示すように、球通路部材９６が、本体枠３の前面部に装着されると、この前面部における左下方側に、発射用連絡通路９６Ａと、回収用連絡通路９６Ｂとが形成される。つまり、第２周壁部９６ｅと仕切壁部９６ｃとの間の空間によって、経路が左斜め上方に向かって上がり傾斜となる発射用連絡通路９６Ａが形成され、仕切壁部９６ｃと第１周壁部９６ｄとの間の空間によって、経路が略鉛直方向を向いた回収用連絡通路９６Ｂが形成される。また、発射用連絡通路９６Ａと回収用連絡通路９６Ｂとは球通路部材９６の上端で合流し、出口部９６ｊによって上方に開放されている。また、発射用連絡通路９６Ａの下端部は入口部９６ｈに向かって開放されている。
【００８３】
発射装置ユニット９０から発射される遊技球は、入口部９６ｈに進入した後、発射用連絡通路９６Ａを通過して出口部９６ｊから排出されて誘導経路Ｙ（図７を参照）に進入し、更に、誘導経路Ｙを上昇し、球進入口１１Ｓ（図７を参照）から遊技領域１１に進入する。但し、発射装置ユニット９０から発射される遊技球の中には、球進入口１１Ｓを通過できない（進入口１１Ｓに到達しない）ファール球も存在する。このファール球は、誘導経路Ｙを下降した後、出口部９６ｊから球通路部材９６に進入する。ここで、誘導経路Ｙの下端部側（始点側）は開放しており、その鉛直下方に回収用連絡通路９６Ｂが存在し、その右側に位置する発射用連絡通路９６Ａは、誘導経路Ｙの下端部側との間に遊技球１個分以上の間隔をあけた位置から、斜め右下り傾斜状に配置されている。このため、誘導経路Ｙを逆進（落下）するファール球は、誘導経路Ｙの下端部（始点部）の直下に位置する回収用連絡通路９６Ｂに進入するようになっており、回収用連絡通路９６Ｂに進入したファール球（遊技球）は、図示しない通路を通過して下皿部材６に誘導される。
【００８４】
図２０に示すように、溝部９６Ｘ（スリット部９７及びガイド空間９６Ｍ）は、下方板状部９６Ｖ（球通路部材９６の前壁部９６ａにおいて、入口形成部９６Ｗ側に位置する部位であって、入口部９６ｈの前方に位置する部位）に設けられている。ここで、図１４に示すように、入口部９６ｈの鉛直下方には、「発射待機位置を構成する保持部材９３」が設置され、「球送り装置８０の送り出し口８１ｖ」は、入口部９６ｈと保持部材９３との間の部位の正面前方に位置している。このため、送り出し口８１ｖの真後ろであって、入口形成部９６Ｗの下方の位置に「球送り装置８０から発射待機位置に遊技球を流入させるための流入口８１Ｒ」が形成され、入口形成部９６Ｗが、流入口８１Ｒのうちで発射待機位置から発射される遊技球の発射方向に位置する部位８１Ｔを構成する。
【００８５】
ｂ．遊技盤１０の構成
次に、遊技盤１０の構成について図７を用いて説明する。この遊技盤１０は正面視で略矩形状の合板を用いて構成される遊技盤本体１０Ａと、この遊技盤本体１０Ａに装着される各種の盤部品（外側レール１２、内側レール１３、メイン役物装置２０等）が装着されている。尚、この遊技盤本体１０Ａの前面部には、セル画が印刷されたシート状物が貼着されているが図示を省略する。
【００８６】
遊技盤本体１０Ａは、正面視で略円形とされる領域形成部１０Ｂと、領域形成部１０Ｂの周囲に位置する領域外部１０Ｃとを備える。また、遊技盤本体１０Ａの前面部には、ともに帯状の金属板を用いて構成される外側レール１２と、内側レール１３とが配設されている。そして、領域形成部１０Ｂの前面部（遊技盤面）は、この外側レール１２及び内側レール１３が形成する略円形の周壁によって略包囲されつつ、遊技領域１１を構成している。
【００８７】
内側レール１３は略Ｕ字形状に配置されつつ、左端部を遊技盤本体１０Ａは左上部に配置されるとともに、その左側方に位置する「外側レール１２の左上部」との間に「遊技球が通過可能な隙間」を設け、球進入口１１Ｓを形成している。
【００８８】
外側レール１２の左端部は、「球通路部材９６の出口部９６ｊ」の斜め左上に近接配置されている。そして、外側レール１２において、内側レール１３の外側に配置される部分は、外側レール１２の左端部から左斜め上方に上がる経路を描き、内側レール１３の右端部の側方に到達したところで、その経路を内側レール１３と略平行な円弧状の経路に改めつつ上昇し、球進入口１１Ｓの側方を越えて、遊技盤本体１０Ａの右上部まで到達している。
【００８９】
内側レール１３の外側面部には、補助レール１３Ｂの上端部が一体化されている。そして、「補助レール１３Ｂと、これに略平行な外側レール１２の部分の間に形成される通路」と、その上方の「外側レール１２と内側レール１３とに挟まれつつ球進入口１１Ｓに至る通路」とが連続して誘導経路Ｙを構成している。この誘導経路Ｙは下端部が「球通路部材９６の出口部９６ｊ」と連通するとともに、下端部から左上がり傾斜状に「内側レール１３の外側（左側方）」を上昇した後、内側レール１３の外側を時計回転方向に通過して、球進入口１１Ｓに到達している。
【００９０】
領域形成部１０Ｂ（つまり、遊技盤１０において遊技領域１１内に位置する部位）には、メイン役物装置２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車１９等が配設されている。
【００９１】
メイン役物装置２０は、取付部材（化粧板）２１と、演出表示装置２７とを備えている。このうち、取付部材２１は、領域形成部１０Ｂの前面部に装着される板状体によって構成され、遊技領域１１の上半部のうちで、左端側を除く部位を構成している。この取付部材（化粧板）２１には窓部形成孔２１ｄが設けられ、この窓部形成孔２１ｄによって正面視で略矩形状の表示窓２１ｅを構成している。
【００９２】
取付部材２１の頂部から右側縁部の下端に至る部位は、外側レール１２に近接し、頂部から左側縁部の上端に至る部位には、上部装飾部材２１ｎが前方に突出する状態に装着されている。また、取付部材２１の左側縁部には、左側装飾部材２１ｑが前方に突出する状態に装着され、取付部材２１の下縁部には、ステージ部材２１ｐが前方に突出する状態に装着されている。更に、左側装飾部材２１ｑは、内部に遊技球通路（図示を省略）が形成された造形物２１ｒを備えている。この遊技球通路の進入口は左斜め上方に向かって開口し、遊技領域１１を流下する遊技球を、この進入口で受け入れ、メイン役物装置２０の内部に進入させる。
【００９３】
ステージ部材２１ｐは、その上面部によって遊技球の転動面を構成するが、この転動面は左右の端部から中央部に向かって下る傾斜面とされている。但し、転動面の中央部では上方に向かって僅かに隆起する隆起部とされている。また、ステージ部材２１ｐには、転動面上の遊技球をメイン役物装置２０の外部に排出するための排出通路が設けられている。尚、排出通路の入口部２１ｕは、転動面の中央部の背後において、この中央部と連続する位置で開口し、排出通路の出口部２１ｖは、この中央部よりも下方の位置で開口している。
【００９４】
本実施例では、遊技領域１１を流下し、メイン役物装置２０の内部に進入した遊技球は転動面の左端部に到達し、転動面上を右方向に転動し、更に、左方向に転動する。そして、遊技球の勢いが衰えたところで、この遊技球は排出通路を通過してメイン役物装置２０外に排出されるか、或いは、転動面の前縁部から、メイン役物装置２０外に排出される。尚、出口部２１ｖの直下に、後述する始動入賞装置１７が位置している。
【００９５】
演出表示装置２７は、液晶表示装置によって構成されるものであり、後述する右下表示装置６０と同様に、特別図柄の変動表示及び停止表示を行う。但し、この演出表示装置２７においては、右下表示装置６０における特別図柄の変動表示および停止表示に連動する演出表示（図柄変動表示）を実行する。尚、本実施例では、右下表示装置６０が、本図柄（特別図柄の一具体例を示す。）を表示するための表示装置を構成し、演出表示装置２７が疑似図柄（特別図柄の他の具体例を示す。）を表示する。
【００９６】
演出表示装置２７の表示画面２７ａは、その全体、若しくは、一部を用いて種々の図柄を表示可能である。このには、図２３（ｂ）に示すように、３つの疑似図柄表示部２７ｂ〜２７ｄと、その他の部分で構成される背景画面表示部２７ｈとが出現することがある。この場合、この疑似図柄表示部２７ｂ〜２７ｄは、表示画面２７ａにおいて横方向に３つ並んで配置される。このように出現する各疑似図柄表示部２７ｂ〜２７ｄでは、「疑似図柄」を用いた演出表示（変動表示）と、停止表示等がなされる。また、表示画面２７ａに疑似図柄表示部２７ｂ〜２７ｄが表示されるときには、この表示画面２７ａのその他の部位によって背景画面表示部２７ｈが表示される。そして、この背景画面表示部２７ｈには、背景を示す図柄（以下、背景図柄という。）を表示したり、この背景図柄と共にキャラクタを示す図柄（以下、キャラクタ図柄という。）を表示することができる。これら「疑似図柄」や「背景図柄」や「キャラクタ図柄」は、演出表示装置２７の表示画面２７ａに表示される「演出図柄」の一具体例を示すものであり、これら「疑似図柄」や「背景図柄」や「キャラクタ図柄」により「図柄変動演出表示」が実現される。
【００９７】
普通図柄作動ゲート（普通図柄作動口）１６は、遊技領域１１において、メイン役物装置２０の左側方に位置する部位に配設されている。また、この普通図柄作動ゲート１６内には普通図柄作動ゲート通過検出スイッチ１６ｓ（図７参照）が配設されている。そして、普通図柄作動ゲート通過検出スイッチ１６ｓにより遊技球が検出されることを前提に「普通図柄の変動開始条件（普通図柄の抽選実行条件）」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【００９８】
始動入賞装置１７は、ステージ部２１ｄの排出路の直下に位置する部位に配設されている。そして、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路の出口部２１ｖの直下に位置するため、排出通路を通過した遊技球は、この第１の始動口を通じて、始動入賞装置１７に入賞する確率が高くされている。
【００９９】
第２の始動入賞部１７ｂは、第１の始動入賞部１７ａの略直下に位置すると共に、入口側部分に普通電動役物１７ｄを備えている。この普通電動役物１７ｄは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図７参照）を備えている。そして、この一対の翼片部が左右に開くと、遊技球の入球可能性が大きくなる開放状態となり、一対の翼片部が立設され、遊技球の入球可能性が小さくなる通常状態となる。
【０１００】
始動入賞装置１７の内部には、第１の始動入賞部１７ａ、若しくは、第２の始動入賞部１７ｂを遊技球の通過を検出する始動口入賞検出スイッチ１７ｓ（図７参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動口入賞検出スイッチ１７ｓによって検出される。
【０１０１】
大入賞装置３１は、大入賞口３１ａを開放・閉鎖するための開閉板３１ｂと、この開閉板３１ｂを駆動するための大入賞口ソレノイド３１ｃ（図２６参照）と、大入賞口３１ａへの遊技球の入賞を検出するための大入賞口入賞検出スイッチ３１ｓ（図７参照）と、を備える。また、開閉板３１ｂは、その下端部が軸支されることで、傾動可能とされている。そして、開閉板３１ｂが起立姿勢となると、この開閉板３１ｂが大入賞口３１ａを閉鎖するため、大入賞装置３１への遊技球の入賞が不可能となり、開閉板３１ｂが、その下端部を支点に前方に傾動して前傾姿勢となると、大入賞口３１ａが開放される。
【０１０２】
図７に戻り、左下表示装置５０は、大入賞装置３１の左側方に配置されている。この左下表示装置５０は、図２３（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１０３】
普通図柄保留表示部５２は、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の数（即ち、保留数）」を、４個上限数として表示すると共に、未消化の遊技球が消化される毎に、「未消化の遊技球の数（即ち、保留数）」を、順次、デクリメントして表示するものである。ここで、普通図柄に関する「未消化の遊技球（つまり、保留球）」とは、普通図柄作動ゲート１６を通過したが、後述する普通図柄表示部５６において、当該通過に伴う当否抽選の結果の表示と、これに先行する変動表示（本実施例では、ＬＥＤを用いて点滅表示）とがなされていない遊技球を指す。
【０１０４】
特別図柄保留表示部５３も、２個のＬＥＤを用いて構成され、所謂「特別図柄に関する保留数」を、４個を上限として表示するものである。つまり、「始動入賞装置１７に入賞したが、未だ、未消化の遊技球の数（即ち、保留数）」を、４個上限数として表示すると共に、未消化の遊技球が消化される毎に、「未消化の遊技球の数（即ち、保留数）」を、順次、デクリメントして表示するものである。ここで、特別図柄に関する「未消化の遊技球（つまり、保留球）」とは、始動入賞装置１７に入賞したが、後述する特別図柄表示部８２において、当該通過に伴う当否抽選（当否判定）の結果の表示と、これに先行する変動表示とがなされていない遊技球を指す。
【０１０５】
普通図柄保留表示部５２及び特別図柄保留表示部５３においては、同様な態様で、保留数の表示を行う。つまり、（ａ）２個のＬＥＤを消灯させて「保留数」が「ゼロ」であることを、（ｂ）１個のＬＥＤを点灯させ、１個のＬＥＤを消灯させて「保留数」が「１」であることを、（ｃ）２個のＬＥＤを点灯させて「保留数」が「２」であることを、（ｄ）１個のＬＥＤを点滅させ、１個ＬＥＤを点灯させて「保留数」が「３」であることを、（ｅ）２個のＬＥＤを点滅させて「保留数」が「４」であることを各々示す。
【０１０６】
遊技状態表示部５５は、１個のＬＥＤにより構成され、遊技機１の電源投入時（遊技機１の起動時）の遊技状態（遊技モード）を表示するために用いられる。具体的には、ＬＥＤを消灯させることで「遊技状態が通常遊技状態（通常モード）である」旨が表示され、ＬＥＤを点灯させることで「遊技状態が確変遊技状態（高確率モード）である」旨が表示される。つまり、遊技状態表示部５５のＬＥＤは、電源投入時（起動時）に遊技モードが高確率モードとなっている場合に限り、点灯するものである。この場合、特別図柄の当否判定の結果として「大当り」が得られると、以後、遊技状態表示部５５のＬＥＤは消灯する。そして、遊技機１の電源を切るまでの間（遊技機１が稼働している間）に遊技状態が確変モードになったとしても、遊技状態表示部５５のＬＥＤが点灯することはない。ここで、本実施例では、遊技機１の遊技モード（遊技状態）が「通常モード」から「高確率モード」になると、確変手段（当否抽選判定で大当り判定がなされる確率を通常に比べ高い確率に設定する手段）と、変動時間短縮手段（特別図柄や普通図柄の変動時間を通常（変動時間短縮手段の非作動時）に比べ短い時間に設定される可能性を高くする手段）と、開放延長手段（普通電動役物１７ｄの開放時間を通常に比べ長い時間に設定したり、開放回数を通常に比べ多い回数に設定する手段）とが作動する。そして、遊技機１の遊技モードが「高確率モード」から「時短モード」になると、変動時間短縮手段および開放延長手段が作動を継続し、確変手段のみが作動を停止する。更に、遊技機１の遊技モードが「時短モード」から「通常モード」に戻されると、変動時間短縮手段および開放延長手段が作動を停止する。
【０１０７】
次に、右下表示装置６０は、前述のように、特別図柄表示部６２と、大当り態様表示部６３とを備える。このうち、特別図柄表示部６２は、図２４（ｂ）に示すように、７個のＬＥＤ６２ａ〜６２ｇを用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、図２３（ａ）に示すように、この「当否判定に関する結果の表示に、先行する変動表示」の実行時期が到来すると、「７個のＬＥＤ６２ａ〜６２ｇ」を順次、点灯させる。そして、この変動表示（以下、「ＬＥＤ６２ｂ〜６２ｇを用いた循環表示」という。）を実行し、「特別図柄の当否判定に関する結果の表示」の実行時期が到来すると、特別図柄表示部６２において、特別図柄の停止表示（確定表示）が実行される。
【０１０８】
大当り態様表示部６３は、２個のＬＥＤ６３ａ、６３ｂを用いて構成され、主に、「特別図柄の当否判定の結果が当選（大当り）である場合、それに基づいて発生する大当りの種類」を表示するために用いられる。つまり、特別図柄表示部６２において大当り表示がなされていない場合には、２個のＬＥＤ６３ａ、６３ｂは消灯状態とされる。そして、特別図柄表示部６２において大当り表示がなされる場合、何れかのＬＥＤ６３ａ、６３ｂを点灯させて、当該大当りの種類が表示される。
【０１０９】
図２４（ａ）に示すように、２個の一般入賞装置４０、４１は、左下表示装置５０を構成する取付板５１に一体化されている。そして、各一般入賞装置４０、４１の内部には、遊技球の入賞を検出するための入賞検出スイッチ４０ｓ、４１ｓ（図７参照）が配設されている。
【０１１０】
図７に戻り、多数の障害釘（図示を省略）は、以上説明した各盤部品との位置バランスを考慮して、遊技領域１１にパチンコ遊技に適するべく、配設され、遊技盤１０の下方にはアウト口１８が設けられている。更に、アウト口１８の下部にはバック球防止部材（図示を省略）が設けられている。
【０１１１】
ｃ．遊技機１の裏面構造
次に、本実施例の遊技機１の裏面構造について図２５を参照して説明する。つまり、遊技機１の裏面構造は、大きな裏パック１０２の上に各種装置が搭載された構造となっており、裏パック１０２は、一対のヒンジ１０３によって中枠３に開閉可能に軸支されている。
【０１１２】
裏パック１０２には、遊技球が蓄えられる遊技球タンク１０５と、賞球または貸球としての遊技球の払い出しを行う遊技球払出装置１０９と、主制御部２００Ａを構成する主制御基板２００が格納された主制御基板ケースと、発射装置ユニットを制御する発射制御基板２６０が格納された発射装置制御基板ケース１３０と、遊技球払出装置１０９を制御する払出制御基板２４０が格納された払出制御基板ケース１１８と、主制御基板２００と各種スイッチ類とを中継する中継端子板などが搭載されている。また、遊技球タンク１０５には底部にタンクスイッチが設けられており、球切れを検出することができる。また、遊技球タンク１０５と遊技球払出装置１０９とは、タンクレール１０６によって接続されている。更に、図２５において、タンクレール１０６の右側には球抜きレバーが設けられ、タンクレール１０６の下流側には補給球切れ検知スイッチが設けられている。
【０１１３】
（２）制御回路の構成
次に、図２６及び図２７を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１１４】
副制御部としては、（ａ）サブ制御基板２２０を用いて構成されると共に、「図柄表示、ランプの発光、効果音、可動物の動作等を用いた遊技の各種の演出の制御を司るサブ制御部２２０Ａと、（ｂ）演出表示制御基板２２２を用いて構成されると共に、「図柄表示、ランプの発光、効果音、可動物の動作等を用いた遊技の各種の演出の制御を司る演出制御部２２２Ａと、（ｃ）払出制御基板２４０を用いて構成されると共に貸球や賞球を払い出す動作の制御を司る払出制御部２４０Ａと、（ｄ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１１５】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図２６及び図２７中の矢印の向きは、データあるいは信号を入出力する方向を表している。また、図２６においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１１６】
主制御部２００Ａ（主制御基板２００）は、普通図柄作動ゲート通過検出スイッチ１６ｓ、始動口入賞検出スイッチ１７ｓ、一般入賞検出スイッチ４０ｓ、４１ｓ、大入賞口入賞検出スイッチ３１ｓ等から遊技球の検出信号を受け取って、遊技の基本的な進行や賞球に関わる当否を決定した後、サブ制御部２００Ａ（サブ制御基板２２０）や、払出制御部２４０Ａ（払出制御基板２４０）、発射制御部２６０Ａ（発射制御基板２６０）等に向かって、後述する各種の信号（コマンド）を出力する。また、主制御部２００Ａ（主制御基板２００）には、発射装置ユニットから発射された遊技球を検出するカウントスイッチ８ｓも接続されている。
【０１１７】
また、主制御部２００Ａ（主制御基板２００）は、普通電動役物ソレノイド１７ｃや、大入賞口ソレノイド３１ｃ、左下表示装置５０、右下表示装置６０に信号を出力することにより、これらの動作を直接制御している。つまり、主制御部２００Ａ（主制御基板２００）は、「始動入賞に起因して大当りか否かを当否判定する当否判定手段」と、「大当り遊技を実行する大当り遊技実行手段」として機能することになる。また、主制御部２００Ａ（主制御基板２００）を構成するＣＰＵ２０１により決定された所定の信号（コマンド）は、サブ制御基板２２０や払出制御基板２４０に対してそれぞれ送信される。
【０１１８】
サブ制御部２２０Ａ（サブ制御基板２２０）は、主制御部２００Ａ（主制御基板２００）からの各種信号（コマンド）を受け取ると、信号（コマンド）の内容を解析して、その結果に応じた遊技の演出を行う。つまり、サブ制御部２２０Ａ（サブ制御基板２２０）は、主制御部２００Ａ（主制御基板２００）からの制御信号に基づいて遊技の演出の制御を司るものである。このサブ制御部２２０Ａ（サブ制御基板２２０）には、図２２に示すように、演出表示制御部２２２Ａ（演出表示制御基板２２２）と、アンプ基板２２４と、装飾駆動基板２２６と、演出ボタン基板２２８と、にそれぞれ電気的に接続されている。サブ制御基板２２０は、ＣＰＵと、ＲＯＭと、ＲＡＭとを備えている。
【０１１９】
サブ制御基板２２０のＣＰＵは、主制御基板２００からの制御信号を受けて演出表示制御基板２２２、アンプ基板２２４、装飾駆動基板２２６及び演出ボタン基板２２８などの各基板を制御する。また、ＲＯＭには、各基板の制御に必要なデータ（特に遊技の装飾に関する情報）が記憶されている。また、ＣＰＵは、主制御部２００Ａ（主制御基板２００）から送出された表示制御コマンド（つまり、表示制御信号）を受信すると共に、ＲＯＭに記憶されたプログラムに従って解析する。そして、サブ制御部２２０Ａ（サブ制御基板２２０）を構成するＣＰＵは、このＣＰＵにより決定された所定の表示制御コマンドや、主制御部２００Ａ（主制御基板２００）から送信されたままの表示制御コマンドを演出表示制御部２２２Ａ（演出表示制御基板２２２）に対して送信する。
【０１２０】
アンプ基板２２４には、所定の効果音を出力するスピーカＳＰ１〜ＳＰ４が電気的に接続されている。また、装飾駆動基板２２６には、前面枠４や遊技盤１０等に設けられる装飾用の各種ＬＥＤ（ランプ）を搭載した各種ＬＥＤ基板が接続されている。また、装飾駆動基板２２６は、サブ制御基板２２０Ａからの信号を受けて遊技の装飾に関する制御を行うものである。
【０１２１】
払出制御部２４０Ａには、図２６に示すように、発射制御部２６０Ａ及び主制御部２００Ａが双方向通信可能な状態に接続されている。この払出制御部２４０Ａは、所謂、貸球や賞球の払い出しに関する各種の制御を司っている。例えば、遊技者が貸出スイッチ５ｃや返却スイッチ５ｑを操作すると、その操作信号は、球貸表示基板４１０から中継端子板を介して払出制御基板２４０に伝達され、その操作信号に基づいて払出モータ１０９ｍを駆動させるための駆動信号が、遊技球払出装置（払出装置）１０９（払出モータ１０９ｍ）に伝達される。
【０１２２】
また、主制御部２００Ａが賞球の払出コマンドを出力すると、このコマンドを払出制御部２４０Ａが受け取って、払出モータ１０９ｍに駆動信号を出力することによって賞球の払い出しが行われる。また、払い出される遊技球は、２つの払出スイッチ（前側払出スイッチ１０９ａ、後側払出スイッチ１０９ｂ）によって検出されて、払出制御部２４０Ａに入力される。更に、払い出された賞球数はカウントスイッチ１０９ｃによっても検出されて、主制御部２００Ａでも計数されている。
【０１２３】
図２７に示すように、払出制御部２４０Ａを構成する払出制御基板２４０には、発射制御部２６０Ａを構成する発射制御基板２６０が接続され、発射制御基板２６０には、発射装置９１（クラッパー型ソレノイド９１ｂ）と、タッチスイッチ９ａと、発射停止スイッチ９ｂ等が接続されている。そして、タッチスイッチ９ａは、遊技者が発射ハンドル９に接触している場合に接触検知信号（オン信号）を発射制御部２６０Ａに出力し、遊技者が発射ハンドル９に接触していない場合に接触非検知信号（オフ信号）を発射制御部２６０Ａに出力する。また、発射停止スイッチ８ｂは、遊技者が操作していない（押していない）場合に発射非停止信号（オン信号）を発射制御部２６０Ａに出力し、遊技者が操作している（押している）場合に発射停止信号（オフ信号）を発射制御部２６０Ａに出力する。
【０１２４】
発射制御部２６０Ａは、タッチスイッチ９ａが接触検知信号（オン信号）を出力するとともに発射停止スイッチ９ｂが発射非停止信号（オン信号）を出力している状態で、発射ハンドル９が回転操作されると、発射装置９１（クラッパー型ソレノイド９１ｂ）を構成するコイル９２ｅへの通電を行う。このとき、遊技者が発射ハンドル９に加えた回転量に応じた電圧でコイル９２ｅが通電されるため（発射ハンドル９の回転量に応じて凹部９２ｋに生ずる吸引力が制御されるため）、ハンドル９に加えた回転量に応じた打撃力がハンマー９１ｃから「発射待機位置の遊技球」に加えられる。そして、この打撃力が十分である場合、ハンマー９１ｃで打撃された遊技球は遊技領域１１に到達する。また、ハンマー９１ｃからの打撃力が十分でなく、遊技領域１１に到達できなかった遊技球は、ファール球として回収される。一方、発射ハンドル９が回転操作された状態であっても、遊技者が発射停止スイッチ９ｂを操作すると（発射停止スイッチ９ｂが発射停止信号（オフ信号）を出力すると）、発射制御部２６０Ａは発射装置９１（クラッパー型ソレノイド９１ｂ）の駆動を停止させる。
【０１２５】
また、図２７に示すように、発射制御部２６０Ａを構成する発射制御基板２６０には、球送り装置８０（電磁コイル８５）が接続されている。そして、電磁コイル８５への通電と、通電の停止（遮電）とを繰り返すことで、球送り装置８０から発射待機位置に対して、遊技球が間欠的に１球ずつ送り出される。つまり、球送り装置８０の球送り動作（電磁コイル８５のＯＮ／ＯＦＦ制御）は、クラッパー型ソレノイド（電磁石）９１ｂの作動と同期制御されており、発射ハンドル９の回転操作に基づき、発射装置ユニット９０から遊技球が発射される毎に、送り出し口８１ｖから受け部９３ａに向かって、遊技球が１球ずつ落下する。
【０１２６】
（３）スリット部の作用
次に、図２８及び図２９を用いて、スリット部９７の作用について説明する。仮に、不正行為者が、糸状部材９８Ｂ（釣り糸等）を巻き付けた（装着した）遊技球９８Ａ（以下、「不正球」と称する。）を上皿部材５の貯留部５１Ｇに投入したとする。この不正球９８Ａは、やがて、遊技球整列部５１ｄ、球送り通路５１ｅの順に通過し、取入口８１ａから球送り装置８０に進入する。この後、送り出し口８１ｖを通じて球送り装置８０外へと排出され、図２８（ａ）に示すように、保持部材９３の受け部９３ａ（発射待機位置）に到達するため、ハンマー９１ｃに殴打されると、不正球９８Ａは糸状部材９８Ｂを保持した状態で遊技領域１１に打ち出されようとする。
【０１２７】
ところが、本遊技機１では、「球送り装置８０から発射待機位置に遊技球を流入させるための流入口８１Ｒ」のうちで、「発射待機位置から発射される遊技球の発射方向に位置する部位８１Ｔ」に、上述の溝部９６Ｘ（ガイド空間９６Ｍ及びスリット部９７の連続空間）が配置されている。そして、図２８（ｂ）及び図２９に示すように、不正球９８Ａを発射した後、不正行為者が糸状部材９８Ｂを操ろうとして引っ張った際には、糸状部材９８Ｂが何れかのガイド空間９６Ｍに進入して、溝部９６Ｘを上昇する可能性が生ずる。そして、糸状部材９８Ｂが溝部９６を上昇する場合、糸状部材９８Ｂはガイド面９６ｒに接触しつつスリット部９７に進入するか、ガイド面９６ｒに接触することなく、そのままスリット部９７に進入する。
【０１２８】
更に、糸状部材９８Ｂが上昇すると、糸状部材９８Ｂの外周面が壁面Ａ１、Ａ２に圧迫されて圧縮変形されつつスリット部９７内を上方に移動し、その後、所定の位置で壁面Ａ１、Ａ２に挟まれて、それ以上の上昇が不可能となる。これにより、糸状部材９８Ｂの中間部がスリット部９７に引っ掛った状態となり、糸状部材９８Ｂをスリット部９７から引き抜くことが困難となる。或いは、糸状部材９８Ｂをスリット部９７から引き抜こうとすると、糸状部材９８Ｂの中間部が切断される可能性を生ずる。
【０１２９】
（４）実施例の効果
本実施例の遊技機１によると、糸状部材９８Ｂを巻き付けた遊技球９８Ａ（不正球）が遊技領域１１に向かって発射されたとしても、この糸状部材９８Ｂが、「球送り装置８０から発射待機位置に遊技球を流入させるための流入口８１Ｒ」の開口縁に設けられたスリット部９７に進入して挟み込まれることで、不正球を用いた不正行為を失敗に終わらせることができる。蓋し、糸状部材９８Ｂがスリット部９７に挟み込まれれば、不正行為者が糸状部材９８Ｂを操ることは、不可能若しくは困難となる。また、スリット部９７に挟み込まれた糸状部材９８Ｂが、以後、遊技球を正常に発射することの障害となるため、「不正行為者が不正な賞球払い出し（遊技領域１１に停留する不正球９８Ａを利用した賞球払い出し）を受けることが不可能若しくは困難となるからである。
【０１３０】
このように、本実施例の遊技機１は、「糸状部材９８Ｂを巻き付けた遊技球９８Ａ（不正球）を用いた不正行為」を企てる不正行為者にとっては、不正行為の成功確率が低い遊技機となる。よって、不正行為者に「不正球を用いた不正行為の実行」を躊躇させたり、「不正球を用いた不正行為」を失敗に終わらせることができるため、この種の不正行為の発生を抑制することができる。
【０１３１】
また、本実施例の遊技機１では、スリット部９７よりも下方にガイド空間９６Ｍが設けられるばかりか、ガイド空間９６Ｍが、その入口側に向かってテーパ状に拡大しているため、不正球９８Ａに巻き付けられた糸状部材９８Ｂをスリット部９７に到達させることが容易である。このため、不正行為者にとって、不正行為の遂行が特に困難となる。
【０１３２】
なお、不正球９８Ａを、発射装置９１を用いて遊技領域１１に到達させようとしても、発射装置９１によって発射された不正球９８Ａの勢いで、糸状部材９８Ｂがスリット部９７に食い込む可能性を生ずる。この場合、不正球９８Ａを、「糸状部材が巻き付けられてない遊技球（以下、「通常球」という。）」と同様に遊技領域１１に到達させることは困難となる。また、不正球９８Ａが遊技領域１１に到達した状態で、糸状部材９８Ｂがスリット部９７に挟み込まれたとしても、不正行為者にとっては、糸状部材９８Ｂを操ることが不可能若しくは困難となる。更に、糸状部材９８Ｂがスリット部９７に挟み込まれていない状態で、不正球９８Ａが遊技領域１１に到達したとしても、不正行為者が糸状部材９８Ｂを操ること（引っ張ること）で、糸状部材９８Ｂがスリット部９７に挟み込まれる可能性を生じさせる（不正行為者自らの行為に起因して、糸状部材９８Ｂがスリット部９７に挟み込まれる可能性を生じさせる。）。
【実施例２】
【０１３３】
実施例２の遊技機１は、（ａ）本体枠３の前面部のうちの右下方部に発射装置ユニット９０を配置した点と、（ｂ）球送り装置８０を上皿部材５の右端側背面に配置した点と、（ｃ）本体枠３の前面部に、緩やかな左上がり傾斜を備える発射レール５５を配設した点等が実施例１の遊技機と異なっている。以下、実施例１との相違点を中心に説明する。
【０１３４】
実施例２の上皿部材５では、図３０に示すように、貯留部５１Ｇの底部に仕切壁５１Ｄ（図４参照）が設けられていないとともに、貯留部５１Ｇの底部全体が右方向に緩やかに下る下り傾斜を備えている。また、貯留部５１Ｇの底部の後方右端側に遊技球整列部５１ｄが設けられている。つまり、この遊技球整列部５１ｄは、１球の遊技球が進入して転動可能な前後幅を備える凹部によって構成され、その底部は、右方向に向かう下り傾斜を有している。
【０１３５】
図３０に示すように、実施例２では、球送り装置８０が背板部５Ａの右端側背面に装着されている。また、図３１に示すように、背板部５Ａの背面には、遊技球整列部５１ｄから背板部５Ａの後方（背面側）に送り出される遊技球を、球送り装置８０に到達させるための球送り通路５１ｅが設けられているが、この球送り通路５１ｅは、遊技球整列部５１ｄの右端部と連通しており、この遊技球整列部５１ｄの右端部の背後から、背板部５Ａの左端側に向かう下り傾斜を有している。そして、球送り通路５１ｅの下端部は、球送り装置８０の取入口８１ａに連通されている。なお、図３１における「左」、「右」の表記は正面視での方向を指している。
【０１３６】
図３１に示すように、球送り通路５１ｅの経路方向中間部には球抜き通路５１Ｆが接続されている。但し、この球抜き通路５１Ｆと、球送り通路５１ｅとの間には弁体５１Ｇが配置され、球抜き通路５１Ｆと球送り通路５１ｅの連通と遮断は弁体５１Ｇを操作することで選択される。そして、弁体５１Ｇが、球抜き通路５１Ｆと球送り通路５１ｅを遮断すると、球送り通路５１ｅ内の遊技球は球送り装置８０に到達し、球抜き通路５１Ｆと球送り通路５１ｅを連通させると、球送り通路５１ｅ内の遊技球は、球抜き通路５１Ｆを通り、下皿部材６の側へ排出される。但し、通常時において、球抜き通路５１Ｆと球送り通路５１ｅは、弁体５１Ｇによって遮断された状態とされる。
【０１３７】
図３０及び図３３に示すように、本体枠３の前面部のうちの右下方部には発射装置ユニット９０が設置されている。そして、実施例２の発射装置ユニット９０は、発射装置９１と、発射レール５５を備える。また、この発射レール５５は、本体枠３の前面部のうちの発射装置９１の左側に配設されており、発射装置９１から発射された遊技球を、遊技盤本体１０Ａの前面（盤面）左端側の誘導経路Ｙに誘導する機能を備える。
【０１３８】
実施例２の遊技機においては、図３２に示すように、誘導経路Ｙを、補助レール１３Ｂ（図７参照）を用いずに構成している。つまり、外側レール１２において、内側レール１３の外側（左側）に配置される部分の略全体が、内側レール１３と略平行な円弧状の経路を描くようにする。これにより、遊技盤本体１０Ａの前面（盤面）左端側において左右に並ぶ外側レール１２及び内側レール１３の間に、曲率中心を遊技領域１１の中心側に配設し、下端部を発射レール５５の延長線上に開口しつつ、上端部を球進入口１１Ｓに連通させた誘導経路Ｙが形成されている。なお、誘導経路Ｙの下端部（始点部）と、発射レール５５の上端部との間には、遊技球の直径を超えるサイズの隙間Ｙ２が設けられている。
【０１３９】
そして、発射装置ユニット９０から発射された遊技球は、通常、その勢いで、発射レール５５の上端部（左端部）から誘導経路Ｙに移行するが、遊技球の勢いが不十分であれば、隙間Ｙ２から落下してファール球として処理される。また、発射レール５５の上端部（左端部）から誘導経路Ｙに移行し、誘導経路Ｙを上昇しても、遊技領域１１に進入できなかった遊技球は、誘導経路Ｙを下降し、隙間Ｙ２から落下してファール球として処理される。これらのファール球は、本体枠３に設けられた通路（図示を省略）を通過して、下皿部材６に到達する。
【０１４０】
実施例２の球送り装置８０は、図３０に示すように、上皿部材５の右端側背面に配置される点と、以下の点を除いて、実施例１の球送り装置８０と同様な構成を備える。つまり、図３４〜図３６に示すように、ハウジング８１の後面部であって、送り出し口８１ｖの開口周縁に、溝形成部材９６Ｐが装着されている。具体的には、送り出し口８１ｖの左側縁の周囲に溝形成部材９６Ｐを配置している。
【０１４１】
この溝形成部材９６Ｐは、実施例１と同様な「溝部９６Ｘ（ガイド空間９６Ｍ及びスリット部９７の連続空間）」が形成された部材である。そして、この溝形成部材９６Ｐの装着によって、ハウジング８１の後壁部のうちで、送り出し口８１ｖの左側縁を構成する部位の近傍に、ガイド空間９６Ｍと、スリット部９７とが連続する状態で配設されている。また、この溝部９６Ｘ（ガイド空間９６Ｍ及びスリット部９７の連続空間）は、遊技球が発射される方向と反対の方向に向かって開口している。つまり、溝部９６Ｘの開口部を発射待機位置の方向に向けつつ、この溝部９６Ｘを発射レール５５と略平行に配置している。
【０１４２】
次に、実施例２の発射装置ユニット９０について説明する。この発射装置ユニット９０は、前述のように、発射レール５５を備える点と、発射装置９１を本体枠３の前面部の右下方側に装着する点と、発射装置９１の取付角度を変更した点と、溝部９６Ｘ（ガイド空間９６Ｍ及びスリット部９７の連続空間）を備えない点等が、実施例１の発射装置ユニット９０と異なる。なお、図３２及び図３３に示すように、実施例２では、実施例１の場合に比べて、反時計回りに約８０度回転した状態で発射装置９１を、本体枠３の前面部の右下方側に装着している。
【０１４３】
図３３に示すように、保持部材９３が、断面が略Ｖ字状のレール９３ｒと、その屈曲端部に配置される球保持部９３ｓとを備える。また、ガイド部材９４は断面が略Ｖ字状のレール９４ｒを備えている。そして、両レール９３ｒ、９４ｒは左上がり傾斜状に配置されるとともに、両レール９３ｒ、９４ｒの上面部が略連続した状態とされている。また、発射レール５５の上面部下端（右端側）と、レール９４ｒの上面部上端（左端側）とが略連続する状態に配置される。従って、保持部材９３と、ガイド部材９４と、発射レール５５とによって、本体枠３の前面部において右端側から左端側に向かって上がり傾斜となる発射経路（遊技球を発射させる経路）を形成している。
【０１４４】
球保持部９３ｓは、左右に貫通するとともに直径が遊技球の直径よりも小さい貫通孔９５ｔを有している（図３５を参照）。そして、球送り装置８０から送られる遊技球は、保持部材９３を構成するレール９３ｒに落下した後、レール９３ｒを右方向に下降して、貫通孔９５ｔに嵌り込む。これにより、遊技球は、その「約１／３」の部分を貫通孔９５ｔから右斜め下方に突出させた状態で、球保持部９３ｓに保持される。そして、実施例２では、このときの遊技球の位置が発射待機位置となる。
【０１４５】
実施例２の発射装置ユニット９０においても、コイル９２ｅに通電を行わないと、可動子９２ｇは後退姿勢となり、ハンマー９１ｃは球保持部９３ｓの右斜め下方で遊技球と離間した状態となる。そして、コイル９２ｅに通電を行うと、ハンマー９１ｃが、球保持部９３ｓの右斜め下方に突出する遊技球を打撃して発射した後、可動子９２ｇの先端部９２２ｇが、ストッパー９２ｂに当接する。そして、発射ハンドル９の回転操作に基づき、発射装置ユニット９０によって遊技球が発射される毎に、球送り装置８０の球送り動作（電磁コイル８５のＯＮ／ＯＦＦ制御）が行われて、送り出し口８１ｖから球保持部９３ｓに向かって遊技球が１球ずつ落下する。
【０１４６】
実施例２の遊技機においても、仮に、不正行為者が、糸状部材（釣り糸等）９８Ｂを巻き付けた（装着した）遊技球（不正球）９８Ａを遊技領域１１に打ち出したとしても、「球送り装置８０から発射待機位置に遊技球を流入させるための流入口（送り出し口８１ｖ）のうちの発射待機位置から発射される遊技球の発射方向に位置する部位（左側縁部の近傍）」に、溝部９６Ｘ（ガイド空間９６Ｍ及びスリット部９７の連続空間）が配置されている。そして、不正行為者が、糸状部材９８Ｂを操ろうとして引っ張った際には、糸状部材９８Ｂがスリット部９７の奥側に進入し、スリット部９７で挟み込まれた状態となるため、不正行為を失敗に終わらせることができる。従って、糸状部材９８Ｂ付きの遊技球（不正球９８Ａ）を用いた不正行為の遂行を妨げることができる。
【０１４７】
また、実施例２の遊技機においても、スリット部９７よりも発射待機位置側にガイド空間９６Ｍが設けられるばかりか、ガイド空間９６Ｍの入口側が、その入口に向かってテーパ状に拡大している。よって、糸状部材９８Ｂをスリット部９７に到達させることが容易であるため、不正行為者にとって、不正行為の遂行が特に困難となる。従って、実施例２によっても、実施例１と同様な効果を得ることができる。
【実施例３】
【０１４８】
実施例３は、実施例１の変形例を構成するものであり、スリット部９７の構成が異なる点を除いて、実施例１と同様である。
【０１４９】
この実施例３の遊技機においても、図３７（ａ）に示すように、入口形成部９６Ｗに複数の溝部９６Ｘ（ガイド空間９６Ｍ及びスリット部９７の連続空間）を備えている。但し、実施例３においては、スリット部９７の内壁、つまり、「スリット部９７を形作るために下方板状部９６Ｖに設けられる一対の壁面Ａ１、Ａ２」に対して、一対の突起部９７ｂを設けた点が、実施例１のスリット部９７と異なる。
【０１５０】
これらの突起部９７ｂは、一対の壁面Ａ１、Ａ２のうちで、「溝部９６Ｘの溝底部９６Ｔの近傍」において対向する状態に配置されている。また、各突起部９７ｂは所定形状（略半円柱形状、略半球形状等）を備えるとともに、対向する突起部９７ｂの突端部間の間隔は、対象となる糸状部材９８Ｂの直径（Ｄｍｍ：Ｄは正数）よりも小さくされている（例えば、０．８８Ｄｍｍ〜０．９８Ｄｍｍ）。更に、突起部９７ｂの突端部と、溝底部９６Ｔとの間隔も、対象となる糸状部材９８Ｂの直径（Ｄｍｍ）よりも小さくされている（例えば、０．８８Ｄｍｍ〜０．９８Ｄｍｍ）。  
【０１５１】
実施例３によると、実施例１の効果に加えて以下の効果を得ることができる。つまり、不正行為者が、糸状部材９８Ｂを操ろうとして引っ張った際には、糸状部材９８Ｂが何れかのガイド空間９６Ｍに進入し、溝部９６Ｘを上昇してスリット部９７に進入する。そして、糸状部材９８Ｂは更に上昇し、その外周面が、一対の突起部９７ｂ、９７ｂ間の空間Ｋ１を圧縮変形しつつ通過する。この後、一対の突起部９７ｂ、９７ｂと溝底部９６Ｔとの間の空間Ｋ２に嵌り込む。このとき、糸状部材９８Ｂは空間Ｋ２に嵌り込んでいるばかりか、一対の突起部９７ｂ、９７ｂが、「糸状部材９８Ｂが下方に移動することを防止するための抜け止め部材」として機能するため、スリット部９７がより強固に糸状部材９８Ｂを保持することになる。なお、実施例３を実施例１の変形例として説明したが、実施例３の特徴を実施例２に適用することもできる。つまり、実施例２に示す溝形成部材９６Ｐに対して、実施例３のスリット部９７を設けてもよい。
【０１５２】
以上、本発明の実施の形態を説明したが、本発明はこれに限定されるものではなく、請求項１に記載した範囲を逸脱しない限り、請求項１の記載文言に限定されず、当業者がそれらから容易に置き換えられる範囲にも及び、かつ、当業者が通常有する知識に基づく改良を適宜付加することができる。
【０１５３】
つまり、実施例３の変形例として、図３８（ａ）に示す変形例１と、図３８（ｂ）に示す変形例２と、図３８（ｃ）に示す変形例３と、図３９（ａ）に示す変形例４と、図３９（ｂ）に示す変形例５を例示することもできる。なお、変形例１〜５を、実施例２に適用することもできる。つまり、実施例２に示す溝形成部材９６Ｐ（図３４〜図３６参照）に対して、変形例１〜５のうちの何れかのスリット部９７を設けてもよい。
【０１５４】
変形例１では、一対の壁面Ａ１、Ａ２のうちで、「溝底部９６Ｔの近傍」のみでなく、それ以外の箇所にも、「スリット部９７の幅方向に対向する突起部９７ｄ、９７ｄ」を設けたものである。但し、「溝底部９６Ｔの近傍」以外に設けられる突起部９７ｄ、９７ｄは、折り返し形状若しくはフック形状とされており、溝部９６Ｘの方向に向かって、略Ｌ字状、Ｕ字状若しくはＶ字状の保持部９７ｄを構成している。そして、この保持部９７ｅ内に形成される空間の幅は、糸状部材９８Ｂの直径（Ｄｍｍ：Ｄは正数）よりも小さくされている（例えば、０．８８Ｄｍｍ〜０．９８Ｄｍｍ）。
【０１５５】
この変形例１では、保持部９７ｅ内に形成される空間が溝底部９６Ｔの方向に開口しているため、糸状部材９８Ｂがスリット部９７から抜け出ようとしても、保持部９７ｄ内に嵌り込む可能性がある。特に、スリット部９７から抜け出ようとする糸状部材９８Ｂが、壁面Ａ１、Ａ２に接触しつつ移動する場合には、保持部９７ｄ内に嵌り込む可能性が高くなる。従って、変形例１の遊技機によると、不正行為者にとって、不正行為の遂行が更に困難となる。
【０１５６】
変形例２は、スリット部９７の内壁、つまり、「スリット部９７を形作るために下方板状部９６Ｖに設けられる各一対の壁面Ａ１、Ａ２」のうち、溝底部９６Ｔの近傍に位置する範囲の面粗度を高くして、溝底部９６Ｔの近傍に到達した糸状部材９８Ｂの外周面と、スリット部９７の内壁との間の摩擦抵抗を大きくしたものである。この変形例２によると、スリット部９７が、糸状部材９８Ｂをより確実に保持することができる。なお、壁面Ａ１、Ａ２のより広範な範囲の面粗度を高くしてもよい。この場合、糸状部材９８Ｂが壁面Ａ１、Ａ２に接触しつつスリット部９７内を上昇する際に、糸状部材９８Ｂに摩耗を原因とした破断を生じさせ、これにより、不正行為の遂行を不可能とすることもできる。
【０１５７】
更に、変形例３においても、変形例１と同様に、一対の壁面Ａ１、Ａ２に複数の突起部９７ｇを設けており、これらの突起部９７ｇは、断面が略Ｖ字状若しくは略Ｕ字状の溝で構成される保持部９７ｈを備えている。この保持部９７ｈは、スリット部９７の進入口９７ａの方向に開口している。また、この保持部９７ｈの入口側の空間幅は、糸状部材９８Ｂの直径（Ｄｍｍ：Ｄは正数）よりも小さくされている（例えば、０．８８Ｄｍｍ〜０．９８Ｄｍｍ）。そして、変形例３においては、糸状部材９８Ｂがスリット部９７内を上昇する途中で（溝底部９６Ｔに到達する前に）、保持部９７ｈに嵌り込む可能性がある。従って、変形例３の遊技機によると、不正行為者にとって、不正行為の遂行が一層困難となる。
【０１５８】
更に、変形例４においても、変形例１及び変形例３と同様に、一対の壁面Ａ１、Ａ２に複数の突起部９７ｍを設けている。但し、これらの突起部９７ｍは、溝底部９６Ｔ方向に開口する保持部９７ｒと、スリット部９７の進入口９７ａの方向に開口する保持部９７ｎとを備える。これらの保持部９７ｒ、９７ｎの入口側の空間幅は、糸状部材９８Ｂの直径（Ｄｍｍ：Ｄは正数）よりも小さくされている（例えば、０．８８Ｄｍｍ〜０．９８Ｄｍｍ）。そして、変形例４においては、糸状部材９８Ｂがスリット部９７内を上昇する途中で（溝底部９６Ｔに到達する前に）、保持部９７ｎに嵌り込む可能性があるとともに、糸状部材９８Ｂがスリット部９７から抜け出ようとする途中に保持部９７ｒに嵌り込む可能性がある。従って、変形例４の遊技機によると、不正行為者にとって、不正行為の遂行が更に一層困難となる。
【０１５９】
また、変形例５においては、スリット部９７の経路途中に屈曲部９７ｓを設けている。この変形例５においては、糸状部材９８Ｂがスリット部９７内を上昇する途中と、スリット部９７から抜け出ようとする途中に、屈曲部９７ｓにおいてスリット部９７に引っ掛かる可能性がある。また、糸状部材９８Ｂが溝底部９６Ｔに向かう際に複雑な経路（ジグザグ経路）を描くため、糸状部材９８Ｂに「もつれ」を生じさせる可能性もある。従って、変形例５の遊技機によると、不正行為者にとって、不正行為の遂行が更に一層困難となる。
【０１６０】
実施例１〜３の変形例として、図４０に示す変形例６を例示することもできる。この変形例６では、領域部Ｒ１〜Ｒ５の端面ｒを曲面としている（例えば、突起部Ｒ１〜Ｒ５の端面をＲ面とし、領域部Ｒ１〜Ｒ５を正面視で略半円形状とする。）。この変形例６によると、糸状部材９８Ｂを溝部９６Ｘ（ガイド空間９６Ｍ及びスリット部９７の連続空間）に向かって、より円滑に誘導することができる。蓋し、例えば、糸状部材９８Ｂが下方から端面ｒに当接すると、この糸状部材９８Ｂは曲面で構成される端面ｒに接触して、溝部９６Ｘに円滑に進入するからである。
【０１６１】
また、実施例１では、本体枠３の前面部左下方から遊技球を発射する態様を例示し、実施例２では、本体枠３の前面部右下方から遊技球を発射する態様を例示したが、本体枠３の前面部略中央の下方から遊技球を発射する態様に対しても、請求項１の発明を適用できる。
【０１６２】
各実施例では、球送り装置８０から発射待機位置に遊技球を流入させるための流入口のうちで、発射待機位置から発射される遊技球の発射方向に位置する部位のみにスリット部９７を配置する態様を例示したが、この流入口の他の部位に対してもスリット部９７を配置することができる。例えば、流入口のうちの発射待機位置側に位置する部位（遊技球の発射方向と逆方向）にも、スリット部を付加的に配置してもよい。この場合、糸状部材付きの遊技球（不正球）が発射待機位置に落下するときに、遊技球（不正球）の自重によって糸状部材をスリット部に挟み込ませることもできる。この場合においては、スリット部が付加的に配置される部位に突起部とガイド溝とを設け、ガイド溝の入口を流入口の内側方向に配置するとともに、ガイド溝の溝幅を入口に向かってテーパ状に拡大したり、流入口の内側方向に位置する突起部の突端側にガイド面を設けることが望ましい。
【産業上の利用可能性】
【０１６３】
本発明は、遊技機を製造、販売等する分野において利用できる。
【符号の説明】
【０１６４】
１；遊技機（弾球遊技機）、
３；本体枠、
５；上皿部材（皿部材）、
１０；遊技盤、
１１；遊技領域、
１１Ｓ；球進入口、
８０；球送り装置（球送り手段）、
８１Ｒ；流入口
９０：発射装置ユニット、
９１；発射装置（発射手段）、
９３；保持部材（保持手段）、
９６Ｘ；溝部、
９６Ｍ；ガイド空間、
９６Ｐ；溝形成部材、
９７；スリット部
Ｙ；誘導通路。
【図１】
0005218594.tif 000002
【図２】
0005218594.tif 000003
【図３】
0005218594.tif 000004
【図４】
0005218594.tif 000005
【図５】
0005218594.tif 000006
【図６】
0005218594.tif 000007
【図７】
0005218594.tif 000008
【図８】
0005218594.tif 000009
【図９】
0005218594.tif 000010
【図１０】
0005218594.tif 000011
【図１１】
0005218594.tif 000012
【図１２】
0005218594.tif 000013
【図１３】
0005218594.tif 000014
【図１４】
0005218594.tif 000015
【図１５】
0005218594.tif 000016
【図１６】
0005218594.tif 000017
【図１７】
0005218594.tif 000018
【図１８】
0005218594.tif 000019
【図１９】
0005218594.tif 000020
【図２０】
0005218594.tif 000021
【図２１】
0005218594.tif 000022
【図２２】
0005218594.tif 000023
【図２３】
0005218594.tif 000024
【図２４】
0005218594.tif 000025
【図２５】
0005218594.tif 000026
【図２６】
0005218594.tif 000027
【図２７】
0005218594.tif 000028
【図２８】
0005218594.tif 000029
【図２９】
0005218594.tif 000030
【図３０】
0005218594.tif 000031
【図３１】
0005218594.tif 000032
【図３２】
0005218594.tif 000033
【図３３】
0005218594.tif 000034
【図３４】
0005218594.tif 000035
【図３５】
0005218594.tif 000036
【図３６】
0005218594.tif 000037
【図３７】
0005218594.tif 000038
【図３８】
0005218594.tif 000039
【図３９】
0005218594.tif 000040
【図４０】
0005218594.tif 000041